(57)【特許請求の範囲】
【請求項１】
所定数の物品を結束した帯に通し番号を印字する印字手段と、
上記印字手段にて通し番号が印字された帯を切断する切断手段と、
上記切断手段にて結束解除された物品を処理する物品処理手段と、
一定量の帯を収納可能で且つ帯が満杯になったときに交換される、それぞれ個有の容器番号が付与された収納容器と、
上記収納容器が装置にセットされた状態で、当該収納容器の容器番号を読取る読取手段と、
上記収納容器が装置にセットされた収納開始時刻および当該収納容器が装置から取出された収納終了時刻を上記読取手段にて読取られた容器番号に関連させて記憶する第１記憶手段と、
上記切断手段にて切断された帯を上記収納容器へ収納する収納手段と、
上記収納手段にて帯を収納した処理時刻を上記印字手段にて当該帯に印字した通し番号と関連させて記憶する第２記憶手段と、
上記収納容器に収納された帯を探すため、当該帯の通し番号に基づいて上記第２記憶手段から当該帯の処理時刻を取得し、この処理時刻を含む収納開始時刻および収納終了時刻を有する収納容器の容器番号を上記第１記憶手段から取得し、当該帯が収納された収納容器を特定する特定手段と、
を備えていることを特徴とする物品処理装置。
【請求項２】
所定数の物品を帯で結束した束を順次投入する投入手段と、
上記投入手段を介して投入される各束の帯に通し番号を印字する印字手段と、
上記印字手段にて通し番号が印字された帯を切断する切断手段と、
上記切断手段にて結束解除された物品を処理する物品処理手段と、
一定量の帯を収納可能で且つ帯が満杯になったときに交換される、それぞれ個有の容器番号が付与された収納容器と、
上記収納容器が装置にセットされた状態で、当該収納容器の容器番号を読取る読取手段と、
上記収納容器が装置にセットされた収納開始時刻および当該収納容器が装置から取出された収納終了時刻を上記読取手段にて読取られた容器番号に関連させて記憶する第１記憶手段と、
上記切断手段にて切断された帯を上記収納容器へ収納する収納手段と、
上記収納手段にて帯を収納した処理時刻を上記印字手段にて当該帯に印字した通し番号と関連させて記憶する第２記憶手段と、
上記収納容器に収納された帯を探すため、当該帯の通し番号に基づいて上記第２記憶手段から当該帯の処理時刻を取得し、この処理時刻を含む収納開始時刻および収納終了時刻を有する収納容器の容器番号を上記第１記憶手段から取得し、当該帯が収納された収納容器を特定する特定手段と、
上記特定手段にて特定された収納容器の容器番号を表示する表示手段と、
を備えていることを特徴とする物品処理装置。
【請求項３】
所定数の物品を帯で結束した束を順次投入する投入手段と、
上記投入手段を介して投入される各束の帯に通し番号を印字する印字手段と、
上記印字手段にて通し番号が印字された帯を切断する切断手段と、
上記切断手段にて結束解除された物品を処理する物品処理手段と、
一定量の帯を収納可能で且つ帯が満杯になったときに交換される、それぞれ個有の容器番号が付与された収納容器と、
上記収納容器が装置にセットされた状態で、当該収納容器の容器番号を読取る読取手段と、
上記収納容器が装置にセットされた収納開始時刻および当該収納容器が装置から取出された収納終了時刻を上記読取手段にて読取られた容器番号に関連させて記憶する第１記憶手段と、
上記切断手段にて切断された帯を上記収納容器へ収納する収納手段と、
上記収納手段にて帯を収納した処理時刻を上記印字手段にて当該帯に印字した通し番号と関連させて記憶する第２記憶手段と、
検索すべき帯の通し番号を入力する入力手段と、
上記入力手段を介して入力された当該帯の通し番号に基づいて上記第２記憶手段から当該帯の処理時刻を取得し、この処理時刻を含む収納開始時刻および収納終了時刻を有する収納容器の容器番号を上記第１記憶手段から取得し、当該帯が収納された収納容器を特定する特定手段と、
上記特定手段にて特定された収納容器の容器番号を表示する表示手段と、
を備えていることを特徴とする物品処理装置。
【請求項４】
所定枚数の紙葉類を結束した帯に通し番号を印字する印字手段と、
上記印字手段にて通し番号が印字された帯を切断する切断手段と、
上記切断手段にて結束解除された紙葉類を処理する紙葉類処理手段と、
一定量の帯を収納可能で且つ帯が満杯になったときに交換される、それぞれ個有の容器番号が付与された収納容器と、
上記収納容器が装置にセットされた状態で、当該収納容器の容器番号を読取る読取手段と、
上記収納容器が装置にセットされた収納開始時刻および当該収納容器が装置から取出された収納終了時刻を上記読取手段にて読取られた容器番号に関連させて記憶する第１記憶手段と、
上記切断手段にて切断された帯を上記収納容器へ収納する収納手段と、
上記収納手段にて帯を収納した処理時刻を上記印字手段にて当該帯に印字した通し番号と関連させて記憶する第２記憶手段と、
上記収納容器に収納された帯を探すため、当該帯の通し番号に基づいて上記第２記憶手段から当該帯の処理時刻を取得し、この処理時刻を含む収納開始時刻および収納終了時刻を有する収納容器の容器番号を上記第１記憶手段から取得し、当該帯が収納された収納容器を特定する特定手段と、
を備えていることを特徴とする紙葉類処理装置。
【請求項５】
所定枚数の紙葉類を帯で結束した束を順次投入する投入手段と、
上記投入手段を介して投入される各束の帯に通し番号を印字する印字手段と、
上記印字手段にて通し番号が印字された帯を切断する切断手段と、
上記切断手段にて結束解除された紙葉類を処理する紙葉類処理手段と、
一定量の帯を収納可能で且つ帯が満杯になったときに交換される、それぞれ個有の容器番号が付与された収納容器と、
上記収納容器が装置にセットされた状態で、当該収納容器の容器番号を読取る読取手段と、
上記収納容器が装置にセットされた収納開始時刻および当該収納容器が装置から取出された収納終了時刻を上記読取手段にて読取られた容器番号に関連させて記憶する第１記憶手段と、
上記切断手段にて切断された帯を上記収納容器へ収納する収納手段と、
上記収納手段にて帯を収納した処理時刻を上記印字手段にて当該帯に印字した通し番号と関連させて記憶する第２記憶手段と、
上記収納容器に収納された帯を探すため、当該帯の通し番号に基づいて上記第２記憶手段から当該帯の処理時刻を取得し、この処理時刻を含む収納開始時刻および収納終了時刻を有する収納容器の容器番号を上記第１記憶手段から取得し、当該帯が収納された収納容器を特定する特定手段と、
上記特定手段にて特定された収納容器の容器番号を表示する表示手段と、
を備えていることを特徴とする紙葉類処理装置。
【請求項６】
所定枚数の紙葉類を帯で結束した束を順次投入する投入手段と、
上記投入手段を介して投入される各束の帯に通し番号を印字する印字手段と、
上記印字手段にて通し番号が印字された帯を切断する切断手段と、
上記切断手段にて結束解除された紙葉類を処理する紙葉類処理手段と、
一定量の帯を収納可能で且つ帯が満杯になったときに交換される、それぞれ個有の容器番号が付与された収納容器と、
上記収納容器が装置にセットされた状態で、当該収納容器の容器番号を読取る読取手段と、
上記収納容器が装置にセットされた収納開始時刻および当該収納容器が装置から取出された収納終了時刻を上記読取手段にて読取られた容器番号に関連させて記憶する第１記憶手段と、
上記切断手段にて切断された帯を上記収納容器へ収納する収納手段と、
上記収納手段にて帯を収納した処理時刻を上記印字手段にて当該帯に印字した通し番号と関連させて記憶する第２記憶手段と、
検索すべき帯の通し番号を入力する入力手段と、
上記入力手段を介して入力された当該帯の通し番号に基づいて上記第２記憶手段から当該帯の処理時刻を取得し、この処理時刻を含む収納開始時刻および収納終了時刻を有する収納容器の容器番号を上記第１記憶手段から取得し、当該帯が収納された収納容器を特定する特定手段と、
上記特定手段にて特定された収納容器の容器番号を表示する表示手段と、
を備えていることを特徴とする紙葉類処理装置。
【請求項７】
所定枚数の紙葉類を小帯で施封した把を所定数集積して大帯で結束した束を順次投入する投入手段と、
上記投入手段を介して投入される各束の大帯に通し番号を印字する印字手段と、
上記印字手段にて通し番号が印字された大帯を切断する切断手段と、
上記切断手段にて結束解除された各把から小帯を切除する小帯処理手段と、
上記小帯処理手段にて施封解除されたバラの紙葉類を処理する紙葉類処理手段と、
一定量の大帯を収納可能で且つ大帯が満杯になったときに交換される、それぞれ個有のカセット番号が付与された大帯カセットと、
上記大帯カセットが装置にセットされた状態で、当該大帯カセットのカセット番号を読取る読取手段と、
上記大帯カセットが装置にセットされた収納開始時刻および当該大帯カセットが装置から取出された収納終了時刻を上記読取手段にて読取られたカセット番号に関連させて記憶する第１記憶手段と、
上記切断手段にて切断された大帯を上記大帯カセットへ収納する収納手段と、
上記収納手段にて大帯を収納した処理時刻を上記印字手段にて当該大帯に印字した通し番号と関連させて記憶する第２記憶手段と、
検索すべき大帯の通し番号を入力する入力手段と、
上記入力手段を介して入力された当該大帯の通し番号に基づいて上記第２記憶手段から当該大帯の処理時刻を取得し、この処理時刻を含む収納開始時刻および収納終了時刻を有する大帯カセットのカセット番号を上記第１記憶手段から取得し、当該大帯が収納された大帯カセットを特定する特定手段と、
上記特定手段にて特定された大帯カセットのカセット番号を表示する表示手段と、
を備えていることを特徴とする紙葉類処理装置。
【請求項８】
所定枚数の紙葉類を小帯で施封した把を所定数集積して大帯で結束した束を順次投入する投入手段と、
上記投入手段を介して投入される各束の大帯を切除する大帯処理手段と、
上記大帯処理手段にて結束解除された各把の小帯に通し番号を印字する印字手段と、
上記印字手段にて通し番号が印字された小帯を切断する切断手段と、
上記切断手段にて施封解除されたバラの紙葉類を処理する紙葉類処理手段と、
一定量の小帯を収納可能で且つ小帯が満杯になったときに交換される、それぞれ個有のカセット番号が付与された小帯カセットと、
上記小帯カセットが装置にセットされた状態で、当該小帯カセットのカセット番号を読取る読取手段と、
上記小帯カセットが装置にセットされた収納開始時刻および当該小帯カセットが装置から取出された収納終了時刻を上記読取手段にて読取られたカセット番号に関連させて記憶する第１記憶手段と、
上記切断手段にて切断された小帯を上記小帯カセットへ収納する収納手段と、上記収納手段にて小帯を収納した処理時刻を上記印字手段にて当該小帯に印字した通し番号と関連させて記憶する第２記憶手段と、
検索すべき小帯の通し番号を入力する入力手段と、
上記入力手段を介して入力された当該小帯の通し番号に基づいて上記第２記憶手段から当該小帯の処理時刻を取得し、この処理時刻を含む収納開始時刻および収納終了時刻を有する小帯カセットのカセット番号を上記第１記憶手段から取得し、当該小帯が収納された小帯カセットを特定する特定手段と、
上記特定手段にて特定された小帯カセットのカセット番号を表示する表示手段と、
を備えていることを特徴とする紙葉類処理装置。
【請求項９】
所定枚数の紙葉類を小帯で施封した把を所定数集積して大帯で結束した束を順次投入する投入手段と、
上記投入手段を介して投入される各束の大帯に通し番号を印字する大帯印字手段と、
上記大帯印字手段にて通し番号が印字された大帯を切断する大帯切断手段と、
上記大帯切断手段にて結束解除された各把の小帯に通し番号を印字する小帯印字手段と、
上記小帯印字手段にて通し番号が印字された小帯を切断する小帯切断手段と、
上記小帯切断手段にて施封解除されたバラの紙葉類を処理する紙葉類処理手段と、
一定量の大帯を収納可能で且つ大帯が満杯になったときに交換される、それぞれ個有の大帯カセット番号が付与された大帯カセットと、
上記大帯カセットが装置にセットされた状態で、当該大帯カセットの大帯カセット番号を読取る第１読取手段と、
一定量の小帯を収納可能で且つ小帯が満杯になったときに交換される、それぞれ個有の小帯カセット番号が付与された小帯カセットと、
上記小帯カセットが装置にセットされた状態で、当該小帯カセットの小帯カセット番号を読取る第２読取手段と、
上記大帯カセットが装置にセットされた大帯収納開始時刻および当該大帯カセットが装置から取出された大帯収納終了時刻を上記第１読取手段にて読取られた大帯カセット番号に関連させて記憶するとともに、上記小帯カセットが装置にセットされた小帯収納開始時刻および当該小帯カセットが装置から取出された小帯収納終了時刻を上記第２読取手段にて読取られた小帯カセット番号に関連させて記憶する第１記憶手段と、
上記大帯切断手段にて切断された大帯を上記大帯カセットへ収納する大帯収納手段と、
上記小帯切断手段にて切断された小帯を上記小帯カセットへ収納する小帯収納手段と、
上記大帯収納手段にて大帯を収納した大帯処理時刻を上記大帯印字手段にて当該大帯に印字した通し番号と関連させて記憶するとともに、上記小帯収納手段にて小帯を収納した小帯処理時刻を上記小帯印字手段にて当該小帯に印字した通し番号と関連させて記憶する第２記憶手段と、
検索すべき大帯の通し番号および検索すべき小帯の通し番号のうちいずれか一方を入力する入力手段と、
上記入力手段を介して入力された通し番号に基づいて上記第２記憶手段から当該帯の処理時刻を取得し、この処理時刻を含む収納開始時刻および収納終了時刻を有する帯カセットのカセット番号を上記第１記憶手段から取得し、当該帯が収納された帯カセットを特定する特定手段と、
上記特定手段にて特定された帯カセットのカセット番号を表示する表示手段と、
を備えていることを特徴とする紙葉類処理装置。
【発明の詳細な説明】
【０００１】
【発明の属する技術分野】
この発明は、所定数の物品を結束した帯を切除して結束解除された物品を処理する物品処理装置に係り、特に、所定枚数の紙葉類を結束した帯を切断し、切断した帯を所定の収納容器へ収納し、結束解除された紙葉類を処理する紙葉類処理装置に関する。
【０００２】
【従来の技術】
従来、所定枚数の紙葉類を結束した束を連続的に投入し、各束の結束帯を切断し、切断した帯を所定の収納容器へ収納し、結束解除された紙葉類を１枚ずつ取出して処理する紙葉類処理装置が知られている。この種の紙葉類処理装置では、収納容器に収納される帯に束の処理順に応じた通し番号が印字される。また、通し番号が印字された帯を収納する収納容器は、収納した帯が満杯になったときに空の収納容器に交換される。
【０００３】
この紙葉類処理装置において、処理済の束の履歴を確認する目的で切除した帯を探し出す必要が生じた場合、帯に印字した通し番号を元にして、帯を収納した複数の収納容器から該当する帯が収納されているであろう容器に見当を付け、オペレータの手作業により収納容器から帯が抽出されていた。
【０００４】
【発明が解決しようとする課題】
この場合、束の処理量に応じて多数の収納容器に切除された帯が収納されているため、オペレータの判断によって当該帯が収納されているであろう収納容器を探し出すのは極めて困難である。また、複数台の紙葉類処理装置を用いて束が処理されているような場合には、帯の抽出作業はさらに困難になる。このため、従来の処理装置では、帯の抽出作業に多くの時間と労力を必要とし、オペレータの作業負担が大きくなる問題があった。
【０００５】
この発明は、以上の点に鑑みなされたもので、その目的は、切除された帯が収納されている収納容器を容易に探し出すことができ、帯の抽出作業にかかる作業負担を軽減できる物品処理装置、および紙葉類処理装置を提供することにある。
【０００６】
【課題を解決するための手段】
上記目的を達成するため、この発明のうち請求項１記載の物品処理装置は、所定数の物品を結束した帯に通し番号を印字する印字手段と、上記印字手段にて通し番号が印字された帯を切断する切断手段と、上記切断手段にて結束解除された物品を処理する物品処理手段と、一定量の帯を収納可能で且つ帯が満杯になったときに交換される、それぞれ個有の容器番号が付与された収納容器と、上記収納容器が装置にセットされた状態で、当該収納容器の容器番号を読取る読取手段と、上記収納容器が装置にセットされた収納開始時刻および当該収納容器が装置から取出された収納終了時刻を上記読取手段にて読取られた容器番号に関連させて記憶する第１記憶手段と、上記切断手段にて切断された帯を上記収納容器へ収納する収納手段と、上記収納手段にて帯を収納した処理時刻を上記印字手段にて当該帯に印字した通し番号と関連させて記憶する第２記憶手段と、上記収納容器に収納された帯を探すため、当該帯の通し番号に基づいて上記第２記憶手段から当該帯の処理時刻を取得し、この処理時刻を含む収納開始時刻および収納終了時刻を有する収納容器の容器番号を上記第１記憶手段から取得し、当該帯が収納された収納容器を特定する特定手段と、を備えている。
【０００７】
また、この発明のうち請求項２記載の物品処理装置は、所定数の物品を帯で結束した束を順次投入する投入手段と、上記投入手段を介して投入される各束の帯に通し番号を印字する印字手段と、上記印字手段にて通し番号が印字された帯を切断する切断手段と、上記切断手段にて結束解除された物品を処理する物品処理手段と、一定量の帯を収納可能で且つ帯が満杯になったときに交換される、それぞれ個有の容器番号が付与された収納容器と、上記収納容器が装置にセットされた状態で、当該収納容器の容器番号を読取る読取手段と、上記収納容器が装置にセットされた収納開始時刻および当該収納容器が装置から取出された収納終了時刻を上記読取手段にて読取られた容器番号に関連させて記憶する第１記憶手段と、上記切断手段にて切断された帯を上記収納容器へ収納する収納手段と、上記収納手段にて帯を収納した処理時刻を上記印字手段にて当該帯に印字した通し番号と関連させて記憶する第２記憶手段と、上記収納容器に収納された帯を探すため、当該帯の通し番号に基づいて上記第２記憶手段から当該帯の処理時刻を取得し、この処理時刻を含む収納開始時刻および収納終了時刻を有する収納容器の容器番号を上記第１記憶手段から取得し、当該帯が収納された収納容器を特定する特定手段と、上記特定手段にて特定された収納容器の容器番号を表示する表示手段と、を備えている。
【０００８】
また、この発明のうち請求項３記載の物品処理装置は、所定数の物品を帯で結束した束を順次投入する投入手段と、上記投入手段を介して投入される各束の帯に通し番号を印字する印字手段と、上記印字手段にて通し番号が印字された帯を切断する切断手段と、上記切断手段にて結束解除された物品を処理する物品処理手段と、一定量の帯を収納可能で且つ帯が満杯になったときに交換される、それぞれ個有の容器番号が付与された収納容器と、上記収納容器が装置にセットされた状態で、当該収納容器の容器番号を読取る読取手段と、上記収納容器が装置にセットされた収納開始時刻および当該収納容器が装置から取出された収納終了時刻を上記読取手段にて読取られた容器番号に関連させて記憶する第１記憶手段と、上記切断手段にて切断された帯を上記収納容器へ収納する収納手段と、上記収納手段にて帯を収納した処理時刻を上記印字手段にて当該帯に印字した通し番号と関連させて記憶する第２記憶手段と、検索すべき帯の通し番号を入力する入力手段と、上記入力手段を介して入力された当該帯の通し番号に基づいて上記第２記憶手段から当該帯の処理時刻を取得し、この処理時刻を含む収納開始時刻および収納終了時刻を有する収納容器の容器番号を上記第１記憶手段から取得し、当該帯が収納された収納容器を特定する特定手段と、上記特定手段にて特定された収納容器の容器番号を表示する表示手段と、を備えている。
【０００９】
この発明の物品処理装置によると、帯を収納する収納容器を装置にセットした状態で当該収納容器の容器番号を読取って、この容器番号に関連させて当該収納容器が装置にセットされた収納開始時刻および当該収納容器が取出された収納終了時刻を記憶し、収納容器に帯を収納した処理時刻を当該帯の通し番号に関連させて記憶する。そして、帯を探し出す際に、通し番号に基づいて当該帯を収納した処理時刻を取得し、この処理時刻を含む収納開始時刻および収納終了時刻を有する収納容器の容器番号を取得し、当該帯が収納されている収納容器を特定する。
【００１０】
また、この発明のうち請求項４記載の紙葉類処理装置は、所定枚数の紙葉類を結束した帯に通し番号を印字する印字手段と、上記印字手段にて通し番号が印字された帯を切断する切断手段と、上記切断手段にて結束解除された紙葉類を処理する紙葉類処理手段と、一定量の帯を収納可能で且つ帯が満杯になったときに交換される、それぞれ個有の容器番号が付与された収納容器と、上記収納容器が装置にセットされた状態で、当該収納容器の容器番号を読取る読取手段と、上記収納容器が装置にセットされた収納開始時刻および当該収納容器が装置から取出された収納終了時刻を上記読取手段にて読取られた容器番号に関連させて記憶する第１記憶手段と、上記切断手段にて切断された帯を上記収納容器へ収納する収納手段と、上記収納手段にて帯を収納した処理時刻を上記印字手段にて当該帯に印字した通し番号と関連させて記憶する第２記憶手段と、上記収納容器に収納された帯を探すため、当該帯の通し番号に基づいて上記第２記憶手段から当該帯の処理時刻を取得し、この処理時刻を含む収納開始時刻および収納終了時刻を有する収納容器の容器番号を上記第１記憶手段から取得し、当該帯が収納された収納容器を特定する特定手段と、を備えている。
【００１１】
また、この発明のうち請求項５記載の紙葉類処理装置は、所定枚数の紙葉類を帯で結束した束を順次投入する投入手段と、上記投入手段を介して投入される各束の帯に通し番号を印字する印字手段と、上記印字手段にて通し番号が印字された帯を切断する切断手段と、上記切断手段にて結束解除された紙葉類を処理する紙葉類処理手段と、一定量の帯を収納可能で且つ帯が満杯になったときに交換される、それぞれ個有の容器番号が付与された収納容器と、上記収納容器が装置にセットされた状態で、当該収納容器の容器番号を読取る読取手段と、上記収納容器が装置にセットされた収納開始時刻および当該収納容器が装置から取出された収納終了時刻を上記読取手段にて読取られた容器番号に関連させて記憶する第１記憶手段と、上記切断手段にて切断された帯を上記収納容器へ収納する収納手段と、上記収納手段にて帯を収納した処理時刻を上記印字手段にて当該帯に印字した通し番号と関連させて記憶する第２記憶手段と、上記収納容器に収納された帯を探すため、当該帯の通し番号に基づいて上記第２記憶手段から当該帯の処理時刻を取得し、この処理時刻を含む収納開始時刻および収納終了時刻を有する収納容器の容器番号を上記第１記憶手段から取得し、当該帯が収納された収納容器を特定する特定手段と、上記特定手段にて特定された収納容器の容器番号を表示する表示手段と、を備えている。
【００１２】
また、この発明のうち請求項６記載の紙葉類処理装置は、所定枚数の紙葉類を帯で結束した束を順次投入する投入手段と、上記投入手段を介して投入される各束の帯に通し番号を印字する印字手段と、上記印字手段にて通し番号が印字された帯を切断する切断手段と、上記切断手段にて結束解除された紙葉類を処理する紙葉類処理手段と、一定量の帯を収納可能で且つ帯が満杯になったときに交換される、それぞれ個有の容器番号が付与された収納容器と、上記収納容器が装置にセットされた状態で、当該収納容器の容器番号を読取る読取手段と、上記収納容器が装置にセットされた収納開始時刻および当該収納容器が装置から取出された収納終了時刻を上記読取手段にて読取られた容器番号に関連させて記憶する第１記憶手段と、上記切断手段にて切断された帯を上記収納容器へ収納する収納手段と、上記収納手段にて帯を収納した処理時刻を上記印字手段にて当該帯に印字した通し番号と関連させて記憶する第２記憶手段と、検索すべき帯の通し番号を入力する入力手段と、上記入力手段を介して入力された当該帯の通し番号に基づいて上記第２記憶手段から当該帯の処理時刻を取得し、この処理時刻を含む収納開始時刻および収納終了時刻を有する収納容器の容器番号を上記第１記憶手段から取得し、当該帯が収納された収納容器を特定する特定手段と、上記特定手段にて特定された収納容器の容器番号を表示する表示手段と、を備えている。
【００１３】
また、この発明のうち請求項７記載の紙葉類処理装置は、所定枚数の紙葉類を小帯で施封した把を所定数集積して大帯で結束した束を順次投入する投入手段と、上記投入手段を介して投入される各束の大帯に通し番号を印字する印字手段と、上記印字手段にて通し番号が印字された大帯を切断する切断手段と、上記切断手段にて結束解除された各把から小帯を切除する小帯処理手段と、上記小帯処理手段にて施封解除されたバラの紙葉類を処理する紙葉類処理手段と、一定量の大帯を収納可能で且つ大帯が満杯になったときに交換される、それぞれ個有のカセット番号が付与された大帯カセットと、上記大帯カセットが装置にセットされた状態で、当該大帯カセットのカセット番号を読取る読取手段と、上記大帯カセットが装置にセットされた収納開始時刻および当該大帯カセットが装置から取出された収納終了時刻を上記読取手段にて読取られたカセット番号に関連させて記憶する第１記憶手段と、上記切断手段にて切断された大帯を上記大帯カセットへ収納する収納手段と、上記収納手段にて大帯を収納した処理時刻を上記印字手段にて当該大帯に印字した通し番号と関連させて記憶する第２記憶手段と、検索すべき大帯の通し番号を入力する入力手段と、上記入力手段を介して入力された当該大帯の通し番号に基づいて上記第２記憶手段から当該大帯の処理時刻を取得し、この処理時刻を含む収納開始時刻および収納終了時刻を有する大帯カセットのカセット番号を上記第１記憶手段から取得し、当該大帯が収納された大帯カセットを特定する特定手段と、上記特定手段にて特定された大帯カセットのカセット番号を表示する表示手段と、を備えている。
【００１４】
また、この発明のうち請求項８記載の紙葉類処理装置は、所定枚数の紙葉類を小帯で施封した把を所定数集積して大帯で結束した束を順次投入する投入手段と、上記投入手段を介して投入される各束の大帯を切除する大帯処理手段と、上記大帯処理手段にて結束解除された各把の小帯に通し番号を印字する印字手段と、上記印字手段にて通し番号が印字された小帯を切断する切断手段と、上記切断手段にて施封解除されたバラの紙葉類を処理する紙葉類処理手段と、一定量の小帯を収納可能で且つ小帯が満杯になったときに交換される、それぞれ個有のカセット番号が付与された小帯カセットと、上記小帯カセットが装置にセットされた状態で、当該小帯カセットのカセット番号を読取る読取手段と、上記小帯カセットが装置にセットされた収納開始時刻および当該小帯カセットが装置から取出された収納終了時刻を上記読取手段にて読取られたカセット番号に関連させて記憶する第１記憶手段と、上記切断手段にて切断された小帯を上記小帯カセットへ収納する収納手段と、上記収納手段にて小帯を収納した処理時刻を上記印字手段にて当該小帯に印字した通し番号と関連させて記憶する第２記憶手段と、検索すべき小帯の通し番号を入力する入力手段と、上記入力手段を介して入力された当該小帯の通し番号に基づいて上記第２記憶手段から当該小帯の処理時刻を取得し、この処理時刻を含む収納開始時刻および収納終了時刻を有する小帯カセットのカセット番号を上記第１記憶手段から取得し、当該小帯が収納された小帯カセットを特定する特定手段と、上記特定手段にて特定された小帯カセットのカセット番号を表示する表示手段と、を備えている。
【００１５】
更に、この発明のうち請求項９記載の処理装置は、所定枚数の紙葉類を小帯で施封した把を所定数集積して大帯で結束した束を順次投入する投入手段と、上記投入手段を介して投入される各束の大帯に通し番号を印字する大帯印字手段と、上記大帯印字手段にて通し番号が印字された大帯を切断する大帯切断手段と、上記大帯切断手段にて結束解除された各把の小帯に通し番号を印字する小帯印字手段と、上記小帯印字手段にて通し番号が印字された小帯を切断する小帯切断手段と、上記小帯切断手段にて施封解除されたバラの紙葉類を処理する紙葉類処理手段と、一定量の大帯を収納可能で且つ大帯が満杯になったときに交換される、それぞれ個有の大帯カセット番号が付与された大帯カセットと、上記大帯カセットが装置にセットされた状態で、当該大帯カセットの大帯カセット番号を読取る第１読取手段と、一定量の小帯を収納可能で且つ小帯が満杯になったときに交換される、それぞれ個有の小帯カセット番号が付与された小帯カセットと、上記小帯カセットが装置にセットされた状態で、当該小帯カセットの小帯カセット番号を読取る第２読取手段と、上記大帯カセットが装置にセットされた大帯収納開始時刻および当該大帯カセットが装置から取出された大帯収納終了時刻を上記第１読取手段にて読取られた大帯カセット番号に関連させて記憶するとともに、上記小帯カセットが装置にセットされた小帯収納開始時刻および当該小帯カセットが装置から取出された小帯収納終了時刻を上記第２読取手段にて読取られた小帯カセット番号に関連させて記憶する第１記憶手段と、上記大帯切断手段にて切断された大帯を上記大帯カセットへ収納する大帯収納手段と、上記小帯切断手段にて切断された小帯を上記小帯カセットへ収納する小帯収納手段と、上記大帯収納手段にて大帯を収納した大帯処理時刻を上記大帯印字手段にて当該大帯に印字した通し番号と関連させて記憶するとともに、上記小帯収納手段にて小帯を収納した小帯処理時刻を上記小帯印字手段にて当該小帯に印字した通し番号と関連させて記憶する第２記憶手段と、検索すべき大帯の通し番号および検索すべき小帯の通し番号のうちいずれか一方を入力する入力手段と、上記入力手段を介して入力された通し番号に基づいて上記第２記憶手段から当該帯の処理時刻を取得し、この処理時刻を含む収納開始時刻および収納終了時刻を有する帯カセットのカセット番号を上記第１記憶手段から取得し、当該帯が収納された帯カセットを特定する特定手段と、上記特定手段にて特定された帯カセットのカセット番号を表示する表示手段とを備えている。
【００１６】
この発明の紙葉類処理装置によると、大帯（または小帯）を収納する大帯（小帯）カセットを装置にセットした状態で当該カセットのカセット番号を読取って、このカセット番号に関連させて当該カセットが装置にセットされた収納開始時刻および当該収納容器が取出された収納終了時刻を記憶し、カセットに帯を収納した処理時刻を当該帯の通し番号に関連させて記憶する。そして、帯を探し出す際に、通し番号に基づいて当該帯を収納した処理時刻を取得し、この処理時刻を含む収納開始時刻および収納終了時刻を有するカセットのカセット番号を取得し、当該帯が収納されているカセットを特定する。
【００１７】
【発明の実施の形態】
以下、図面を参照しながらこの発明の実施の形態について詳細に説明する。
【００１８】
図１に示すように、この発明の紙葉類処理装置１は、未検査の紙葉類の束を受入れるとともに検査済みの紙葉類の束を取出す束処理機２を備えている。この束処理機２は、コンベア４を介して検査機６に接続されている。コンベア４と検査機６との間には、検査機６に投入する紙葉類の束を結束解除する前処理機１０が配設されている。
【００１９】
例えば、１００枚の紙葉類ｐを小帯ｋにより施封した把ｔを１０把集積して大帯Ｋにより十文字結束した束Ｔ（図２参照）が束処理機２を介して紙葉類処理装置１に順次投入される。
【００２０】
紙葉類の束Ｔが束処理機２に投入され、コンベア４を介して前処理機１０へ搬送されると、前処理機１０は、搬送された紙葉類の束Ｔから大帯Ｋを切断して除去するとともに、１０個のバラ把ｔの各々から小帯ｋを切断して除去し、紙葉類の束Ｔを１枚づつの紙葉類ｐにバラして集積した状態で検査機６に供給する。尚、前処理機１０では、切除する前の大帯Ｋおよび小帯ｋのそれぞれに処理の順序に応じた通し番号を印字し、通し番号が印字されて切除された大帯Ｋおよび小帯ｋをそれぞれ所定の収納容器へ収納する。
【００２１】
検査機６では、前処理機１０により一枚づつにバラにされた複数枚の紙葉類ｐを一枚づつ取出して検査し、この検査の結果、再使用可能と判断された紙葉類１００枚を小帯ｋにより再び施封して把ｔ´とし、１０把を大帯Ｋにより結束して束Ｔ´とする。そして、検査機６により再使用可能と判断されて結束された紙葉類の束Ｔ´がコンベア４を介して逆方向に搬送され、束処理機２を介して取出される。
【００２２】
図２には、上述した前処理機１０の構成を概略的に示してある。
【００２３】
前処理機１０は、コンベア４を介して束処理機２から搬送された束Ｔを取込む取込み部Ａ、取込み部Ａを介して取込まれた束Ｔの大帯Ｋを切断して除去する大帯処理部Ｂ、大帯Ｋが切除された集積状態の１０個の把ｔ（以下、集積把と称する）をその集積方向に狭持した状態で向きを変える方向変換部Ｃ、方向変換部Ｃを介して方向変換された集積把から１把づつ切り出す切出し部Ｄ、切出し部Ｄにより切り出された把ｔの小帯ｋの糊を剥がす糊剥がし部Ｅ、糊が剥がされた小帯ｋを切断して除去する小帯処理部Ｆ、および、切出し部Ｄによって切出された把ｔを糊剥がし部Ｅおよび小帯処理部Ｆを介して検査機６に向けて搬送する搬送部Ｇを備えている。
【００２４】
コンベア４を介して搬送された束Ｔは、取込み部Ａを介して前処理機１０内に取込まれ、後に詳述する大帯処理部Ｂにて大帯Ｋが切断除去される。このとき、取込み部Ａにおいて、束Ｔを結束した大帯、すなわち横帯Ｋ1 および縦帯Ｋ2 の所定位置に、印字ヘッド１１、１２を介して、それぞれ通し番号としての大帯番号が印字される。
【００２５】
大帯処理部Ｂにて大帯Ｋが切除されて結束解除された状態の集積把は、図示しない狭持部材によって挟持された状態で、方向変換部Ｃを介して方向変換され、その後、集積方向に沿って切出し部Ｄに向けて供給される。
【００２６】
切出し部Ｄには、糊剥がし部Ｅに向けて上方に延びたリフトコンベア８、および切出される把ｔの小帯ｋの位置を検知する小帯検知装置（後述する）が設けられ、方向変換部Ｃと切出し部Ｄとの間には、集積把をそのままの状態でその集積方向へ搬送し、端部に位置した把ｔをリフトコンベア８に所定圧力で押付ける供給装置（後述する）が設けられ、切出し部Ｄと糊剥がし部Ｅとの間には、小帯検知装置による検知結果に基づいて後述するプリンタヘッドを移動させて小帯ｋに通し番号としての小帯番号を印字する小帯印字装置（後述する）が設けられている。
【００２７】
しかして、集積把の端部に位置した把ｔからリフトコンベア８によって１把づつ切出され、その度に集積把が供給装置によって切出された１把ｔの厚さ分だけリフトコンベア８に向けて移動される。このように、把ｔは、１把づつ切出される。
【００２８】
また、切出し部Ｄによって把ｔが切出される際に、小帯検知装置によって小帯の位置が検知され、この検知結果に基づいて小帯印字装置によって小帯番号が小帯ｋに印字される。
【００２９】
切出し部Ｄによって１把づつ切出された把ｔは、搬送部Ｇを介して検査機６に向けて搬送される。その途中、糊剥し部Ｅにおいて、小帯ｋと端部の紙葉類ｐとの間の糊が剥がされる。そして、糊剥がし処理がなされた把ｔの小帯ｋが、小帯処理部Ｆにて切断除去され、バラ積みの状態にされた複数枚の紙葉類ｐが検査機６へ供給される。
【００３０】
次に、上述した大帯処理部Ｂに設けられた大帯処理装置について、図３乃至図１７を参照して詳細に説明する。
【００３１】
図３に示すように、大帯処理装置２０は、取込み部Ａを介して大帯処理部Ｂの所定の切断位置へ取込まれた束Ｔを載置する載置部２１と、載置部２１によって載置されて切断位置に配置された束Ｔの大帯Ｋ、即ち横帯Ｋ1 および縦帯Ｋ2 を切断する大帯切断機構２２と、切断した大帯Ｋを保持するとともにこの大帯Ｋを束Ｔから分離して所定の収納待機位置へ配置する大帯キャッチ２４と、切断された大帯Ｋを収納する収納容器としての大帯収納カセット２５（以下、単に大帯カセット２５と称する）と、大帯キャッチ２４により収納待機位置（後述する）に配置された大帯Ｋを大帯カセット２５内に押し込んで収納する大帯押込収納機構２６（以下、単に押込機構２６と称する）と、大帯カセット２５内に押し込んだ大帯Ｋを所定位置へ整位させる大帯整位機構２８（以下、単に整位機構２８と称する）と、を有している。尚、大帯カセット２５に隣接した位置には、大帯カセットを特定するためのカセット番号を記録したバーコードＣを読取るためのＣＣＤセンサ１３が配設されている。
【００３２】
図４には、大帯切断機構２２、大帯キャッチ２４、および大帯カセット２５を概略的に示してある。
【００３３】
大帯切断機構２２は、切断位置に配置された束Ｔの下方に設けられ、縦帯Ｋ2 を位置３５で切断する縦帯切断部３１と、束Ｔの図中手前側に設けられ横帯Ｋ1 を位置３８で切断する横帯切断部３２と、を有している。
【００３４】
縦帯切断部３１は、揺動軸３３ａを中心に揺動自在に設けられたアーム部材３３と、アーム部材３３の揺動の先端に回動自在に設けられたカッター３４と、アーム部材３３を揺動するとともにカッター３４を回転する図示しない駆動機構と、を有している。縦帯切断部３１（揺動軸３３ａ）は、アーム部材３３の揺動の途中でカッター３４が束Ｔの縦帯Ｋ2 に位置３５で作用するように位置決めされている。
【００３５】
同様に、横帯切断部３２は、揺動軸３６ａを中心に揺動可能に設けられたアーム部材３６と、アーム部材３６の先端に回動自在に設けられたカッター３７と、を有し、揺動の途中でカッター３７が横帯Ｋ1 の位置３８に作用するように位置決めされている。
【００３６】
従って、束Ｔが切断位置に配置され、横帯切断部３２および縦帯切断部３１が作動されると、横帯Ｋ1 および縦帯Ｋ2 がそれぞれ位置３８、３５で切断されるようになっている。
【００３７】
大帯キャッチ２４は、切断位置に配置された束Ｔの図中右側に配設されている。大帯キャッチ２４は、縦帯Ｋ2 をその切断位置３５から離れた位置で挟持するとともに挟持した縦帯Ｋ2 を束Ｔから分離する縦帯キャッチ４１と、横帯Ｋ1 をその切断位置３８から離れた位置で挟持するとともに挟持した横帯Ｋ1 を束Ｔから分離する横帯キャッチ４２と、を有している。そして、大帯キャッチ２４は、各切断部３１、３２により切断された縦帯Ｋ2 および横帯Ｋ1 をそれぞれ挟持して束Ｔから分離し、所定の収納待機位置へ配置する。
【００３８】
縦帯キャッチ４１は、図示しないスライド機構により束Ｔから離れる方向（図中右側方向）にスライド可能に設けられたスライドアーム４３と、このスライドアーム４３と共働して縦帯Ｋ2 を挟持するキャッチアーム４４と、を有している。キャッチアーム４４は、図示しない回動機構により回転軸４５を中心にスライドアーム４３に対して回動自在に設けられている。そして、スライドアーム４３の先端部４３ａとキャッチアーム４４の回動の先端部４４ａとの間で縦帯Ｋ2 を挟持するようになっている。
【００３９】
同様に、横帯キャッチ４２は、図示しないスライド機構により束Ｔから離れる方向（図中右側方向）にスライド可能に設けられたスライドアーム４６と、このスライドアーム４６と共働して横帯Ｋ1 を挟持するキャッチアーム４７と、を有している。キャッチアーム４７は、図示しない回動機構により回転軸４８を中心にスライドアーム４６に対して回動自在に設けられている。そして、スライドアーム４６の先端部４６ａとキャッチアーム４７の回動の先端部４７ａとの間で横帯Ｋ1 を挟持するようになっている。
【００４０】
従って、各切断部３１、３２にて切断された縦帯Ｋ2 および横帯Ｋ1 は、それぞれ縦帯キャッチ４１および横帯キャッチ４２により挟持され、束Ｔから離れる方向に分離され、所定の収納待機位置へ配置される。このとき、束Ｔから分離された縦帯Ｋ2 および横帯Ｋ1 は、載置部２１と平行且つ大帯カセット２５の後述するスリット５１に対して直交する方向、即ち図中矢印ｘ方向に延びて配置される。
【００４１】
大帯カセット２５は、大帯Ｋ（横帯Ｋ1 および縦帯Ｋ2 ）が配置された収納待機位置の下方に設けられ、収納待機位置に対向した上面２５ａ、およびこの上面２５ａと略直交した前面２５ｂを有している。大帯カセット２５は、その上面２５ａから前面２５ｂにかけて開放され図中ｙｚ平面に沿って延びたスリット５１を有している。大帯カセット２５は、大帯Ｋの略中央位置の鉛直下方にスリット５１が位置するように位置決めされている。
【００４２】
スリット５１は、その一側に設けられたバックアップスプリング５３と他側に設けられたバックアップ５５とにより境界され、バックアップスプリング５３はスリット５１内に押し込まれた大帯Ｋを図中左側（バックアップ５５側）に向って押圧するように作用し、バックアップ５５はバックアップスプリング５３との間で大帯Ｋを挟持するとともに大帯Ｋの集積に伴って図中左側方向に移動するようになっている。また、スリット５１の下端であってバックアップ５５が設けられた他側には、後述する押込板およびクランプアームを入れ子状態で収容するとともに大帯Ｋを整位収納するための切欠き５１ａが形成されている。
【００４３】
図５は押込機構２６の斜視図、図６は押込機構２６の側面図、図８は押込機構２６の平面図、図９は押込機構２６の正面図を概略的に示している。押込機構２６は、大帯切断機構２２により切断されて大帯キャッチ２４により束Ｔから分離され、所定の収納待機位置へ配置された大帯Ｋの上方に設けられた押込板６１、および押込板６１との間で大帯Ｋを狭持するため大帯Ｋの下方に待機されたクランプアーム６２を備えている。尚、押込機構２６は、押込板６１およびクランプアーム６２が大帯カセット２５のスリット５１と同一面内に配置されるように位置決めされている。
【００４４】
また、押込板６１およびクランプアーム６２が互いに対向した部分には、互いに歯合する凹凸が形成されている（図７参照）。これにより、両者の間で狭持した大帯Ｋを確実に拘束できる。
【００４５】
押込板６１は、大帯Ｋの略中央位置上方で且つ大帯Ｋの長手軸を横切る方向に延設されている。そして、押込板６１は、後述する移動機構によって、上述したスリット５１が形成された面内を上下方向および水平方向に移動可能となっている。また、クランプアーム６２は、押込板６１に従動され、押込板６１と同一面内を移動可能となっている。
【００４６】
押込板６１は、先細の先端を有する板状に形成され、その基端部がスライダ６３を介してスライドレール６４に接続されている。スライドレール６４は、略水平方向に延設されている。スライドレール６４は、鉛直方向に延設されたスライドレール６５を介してスライド自在に取付けられたスライドベース６６に固設されている。従って、押込板６１は、上下方向に延設されたスライドレール６５に沿ってスライドベース６６をスライドさせることにより上下方向に移動でき、水平方向に延設されたスライドレール６４に沿ってスライダ６３をスライドさせることにより水平方向に移動できる。
【００４７】
クランプアーム６２は、大帯Ｋの略中央位置下方で上述した押込板６１と同じ方向に延設された棒状に形成されている。クランプアームの基端部は、スライダ６７に固設されている。スライダ６７は、スライドレール６４と平行に延びたスライドレール６８にスライド自在に取付けられている。スライドレール６８は、スライドベース６９を介して上述したスライドレール６５に接続されている。従って、クランプアーム６２は、上下方向に延設されたスライドレール６５に沿ってスライドベース６９をスライドさせることにより上下方向に移動でき、水平方向に延設されたスライドレール６８に沿ってスライダ６７をスライドさせることにより水平方向に移動できる。
【００４８】
押込板６１を上下方向に移動させる上下移動機構７０は、鉛直方向に延設されたスライドレール６５に隣接して互いに平行に延び且つスライドベース６６を貫通したおねじとしてのシャフト７１、およびスライドベース６６に固設され、シャフト７１と共働してボールねじとして作用するめねじとしてのナット７２を有している。シャフト７１の基端部には、プーリー７３、タイミングベルト７４、およびプーリー７５を介して可逆回転型のモータ７６が接続されている。
【００４９】
従って、モータ７６を回転すると、シャフト７１が所望の方向に回転され、ナット７２と共にスライドベース６６が上下方向に移動されるようになっている。尚、移動ベース６６は、押込板６１をその初期位置からスリット５１の下端まで押し込んだ作動位置まで移動可能となっており、それぞれの位置（初期位置および作動位置）で後述するセンサにより検知されるようになっている。
【００５０】
押込板６１を水平方向に移動させる水平移動機構８０は、スライドベース６６を貫通してシャフト７１に平行且つ隣接して設けられたスプラインシャフト８１、スプラインシャフト８１に嵌入され取付ブラケット８２を介してスライドベース６６の上面に回転自在に取付けられたスプラインナット８３、および基端部側がスプラインナット８３に固定され、先端側に押込板６１の基端部から上方に突設されたベアリング６１ａをスライド可能に受け入れた溝８４ａを有するリンクアーム８４を有している。
【００５１】
また、水平移動機構８０は、可逆回転型のモータ８５、モータ８５の回転軸にその基端部が固定されたモータアーム８６、およびモータアーム８６の先端に突設されたベアリング８６ａをスライド可能に受け入れた溝８７ａをその先端側に有するリンクアーム８７を有し、リンクアーム８７の基端部がスプラインシャフト８１の基端部に固定されている。
【００５２】
従って、モータ８５を回転すると、モータアーム８６およびリンクアーム８７が所望の方向に揺動され、スプラインシャフト８１が所望の方向に回転される。スプラインシャフト８１が回転されると、スプラインナット８３が回転され、リンクアーム８４が揺動される。リンクアーム８４が揺動されると、ベアリング６１ａが溝８４ａ内でスライド移動され、押込板６１がスライドレール６４を介してスライドベース６６に対して水平方向にスライドされる。尚、スプラインシャフト８１を貫通したスライドベース６６の孔は、スプラインシャフト８１の回動を許容するように余裕をもった大きさに形成されている。また、押込板６１は、その初期位置から押込板６１の先端がスリット５１から外れた作動位置まで水平方向に移動可能となっており、それぞれの位置（初期位置および作動位置）で後述するセンサにより検知されるようになっている。
【００５３】
一方、押込板６１に従動されるクランプアーム６２は、初期位置に配置された状態（図５に示す状態）で、押込板６１より下方に所定距離離間され、その移動の上端位置がストッパ９１によって規制されている。このとき、クランプアーム６２は、水平方向に延設されたスライドレール６８の最先端、即ちクランプアーム６２の先端方向端部の初期位置に配置されている。尚、クランプアーム６２と押込板６１との間には、クランプアーム６２を押込板６１に向けて付勢する図示しないバネが介在されており、クランプアーム６２が押込板６１に当接された状態で両者の間に狭持力が発生するようになっている。
【００５４】
従って、押込板６１が初期位置から下降されてクランプアーム６２に当接されると、大帯Ｋが押込板６１とクランプアーム６２との間で狭持拘束され、この状態から押込板６１が更に下降されると、クランプアーム６２は、押込板６１によって押し下げられてその上端位置よりスリット５１の下端位置まで下降される。また、クランプアーム６２は、バネの作用により、押込板６１の上昇に従動して上昇される。このとき、クランプアーム６２は、その移動の上端の初期位置まで上昇され、上端位置でストッパ９１によって係止され、押込板６１と離間され、押込板６１のみがその初期位置まで上昇される。
【００５５】
クランプアーム６２の基端部には、押込板６１が下降されてクランプアーム６２が押込板６１と接合された際に、押込板６１の基端部に設けられたカム９２と嵌合するベアリング９４が設けられている（図６参照）。押込板６１のカム９２は、押込板６１の基端部に向けて上方に傾斜された溝を有し、この溝に沿ってクランプアーム６２のベアリング９４がスライドすることにより、クランプアーム６２が押込板６１に対して以下のように従動される。
【００５６】
つまり、押込板６１が初期位置から下降されてクランプアーム６２を押し下げつつその作動位置（スリット５１の下端）まで下降された状態から、押込板６１がスリット５１から水平方向に引き抜かれると、押込板６１のカム９２の作用によりクランプアーム６２のベアリング９４が僅かに押し下げられ、押込板６１とクランプアーム６２との間に隙間が形成される。これにより、両者の間で狭持された大帯Ｋの拘束が解除される。
【００５７】
更に、押込板６１が引き抜かれると、クランプアーム６２のベアリング９４が押込板６１のカム９２の端部に係合された状態でクランプアーム６２が水平方向にスライドされ、スリット５３から引き抜かれる。
【００５８】
図１０は、上述した押込機構２６によって大帯カセット２５のスリット５１内に押し込まれた大帯Ｋをスリット５１下端の切欠き５１ａに整位する整位機構２８を示している。整位機構２８は、大帯カセット２５を脱着可能且つ図中ｘ方向に移動可能に保持したカセットキャリア９５を有している。カセットキャリア９５の下端両縁側には、一対のスライドレール９６が設けられ、カセットキャリア９５は、このスライドレール９６を介して基台９３に対してスライド可能に取付けられている。
【００５９】
整位機構２８は、カセットキャリア９５の図中右奥側に設けられた可逆回転型のモータ９７と、モータ９７の回転軸に取付けられたプーリー９７ａと、カセットキャリア９５の図中左奥側に設けられたプーリー９７ｂと、プーリー９７ａおよび９７ｂに巻回され、無端走行されるタイミングベルト９８と、を有している。そして、タイミングベルト９８の一部がカセットキャリア９５に固設され、タイミングベルト９８が走行されることによりカセットキャリア９５が移動されるようになっている。尚、カセットキャリア９５は、初期位置から僅かに右側に移動した作動位置、つまりスリット５１内の最下端まで挿入された押込板６１およびクランプアーム６２が切欠き５１ａに入れ子状態となる位置まで移動可能となっており、それぞれの位置（初期位置および作動位置）でセンサにより検知されるようになっている。
【００６０】
次に、上述した押込機構２６および整位機構２８の動作を制御する制御系について図１１を用いて説明する。
【００６１】
押込機構２６および整位機構２８の制御系は、制御部１００を有している。制御部１００には、カセットキャリア９５が初期位置に配置されていることを検知するセンサ１０１、カセットキャリア９５が作動位置に配置されていることを検知するセンサ１０２、押込板６１が上下方向初期位置に配置されていることを検知するセンサ１０３、押込板６１が上下方向作動位置に配置されていることを検知するセンサ１０４、押込板６１が水平方向初期位置に配置されていることを検知するセンサ１０５、および押込板６１が水平方向作動位置に配置されていることを検知するセンサ１０６が接続されている。
【００６２】
また、制御部１００には、カセット移動コントローラ１１１を介してモータ９７が接続され、押込板移動コントローラ１１２を介してモータ７６およびモータ８５が接続されている。
【００６３】
従って、制御部１００は、各センサ１０１〜１０６における検知結果に従って各モータ９７、７６、８５の回転を制御し、大帯Ｋを大帯カセット２５内の所定の収納位置に収納するようになっている。
【００６４】
次に、上記のように構成された大帯処理装置２０の動作について、図１２のフローチャートおよび図１３乃至図１７の動作説明図を用いて詳細に説明する。尚、図１３乃至図１７の動作説明図は、切断されて収納待機位置に配置された大帯Ｋを大帯カセット２５内の所定位置に収納する動作を説明するためのものである。
【００６５】
図１２に示すように、大帯処理装置２０における処理動作は、大帯Ｋを切断して収納待機位置へ分離する大帯処理ステージと、収納待機位置に配置された大帯Ｋを大帯カセット２５内の所定位置に収納する大帯収納ステージと、に大別される。
【００６６】
大帯処理ステージにおいて、取込み部Ａから大帯処理部Ｂに供給された束Ｔが所定の切断位置に配置され、大帯切断機構２２により大帯Ｋが切断される（ステップ１）。そして、切断された大帯Ｋは、大帯キャッチ２４により挟持されて束Ｔから分離され（ステップ２）、所定の収納待機位置へ配置される。このように、大帯Ｋが収納待機位置に配置された状態で押込板６１は大帯Ｋの上方の初期位置に配置されている（図１３参照）。
【００６７】
大帯収納ステージにおいて、図１３に示すように、押込板６１が図中矢印ａ方向に初期位置から下降され（ステップ３）、大帯Ｋの下方に待機していたクランプアーム６２との間で大帯Ｋが狭持・拘束される（ステップ４）。この状態で、押込板６１が図１４に示すように更に下降され、クランプアーム６２とともにスリット５１の最下端まで移動される。尚、この状態で、大帯Ｋは押込板６１により折り曲げられた状態でスリット５１内に押し込まれている。
【００６８】
次に、押込板６１およびクランプアーム６２がスリット５１の切欠き５１ａに対して入れ子状態となるように、カセットキャリア９５が初期位置から作動位置へ僅かに移動され（ステップ５）、大帯Ｋが押込板６１とバックアップ５５との間で挟持される。
【００６９】
続いて、押込板６１が水平方向初期位置から作動位置に向けて図１５に矢印ｂで示す方向に引き抜かれる（ステップ６）。このとき、カム９２とベアリング９４の作用により、クランプアーム６２が矢印ｃ方向に僅かに下降されて大帯Ｋの拘束が解除され、大帯Ｋが押込板６１とともに引き抜かれることなく大帯カセット２５内に確実に収納される。
【００７０】
次に、図１６に矢印ｄで示す方向に押込板６１が上昇され、押込板６１に従動されてクランプアーム６２も上昇される（ステップ７）。同時に、カセットキャリア９５が作動位置から初期位置へ戻される（ステップ８）。
【００７１】
押込板６１が所定の高さ（クランプアーム６２がその上端位置に配置される高さ）まで上昇されると、図１７に示すように、押込板６１が矢印ｅ方向に水平移動された後、矢印ｆ方向に更に上昇される。このとき、押込板６１に従動されたクランプアーム６２はストッパ９１によってその上端位置で係止され、押込板６１のみが初期位置まで上昇される。このように、押込板６１およびクランプアーム６２が初期位置に戻されて（ステップ９）、大帯Ｋの処理動作が終了される。
【００７２】
次に、上述した切出し部Ｄと糊剥がし部Ｅとの間に設けられた小帯印字装置について、図１８乃至図２７を用いて詳細に説明する。図１８は小帯印字装置全体の動作を説明するための図であり、図１９乃至図２６は小帯印字装置を構成した各装置の詳細図であり、図２７は小帯印字装置の動作を制御する制御系を示すブロック図である。
【００７３】
尚、ここで説明する小帯印字装置は、図１８に示すように、上述した方向変換部Ｃから切出し部Ｄに向けて集積把を搬送する供給装置１２０、切出し部Ｄのリフトコンベア８を含む搬送装置１３０、小帯ｋの位置を検知する小帯検知装置１５０、小帯ｋに処理順に応じた通し番号としての小帯番号を印字する印字装置１６０、および上記各装置１２０、１３０、１５０、１６０の動作を制御する制御部１７０を含んでいる。
【００７４】
図１９および図２０に示すように、供給装置１２０は、方向変換部Ｃによって方向変換された集積把をその集積方向、即ち図中矢印ａ方向に沿って狭持する一対のクランプアーム１２１、１２２を有している。集積把は、その集積方向に沿って移動されて切出し部Ｄに供給されるように、一対のクランプアーム１２１、１２２によって保持されている。
【００７５】
集積把の進行方向後側のクランプアーム１２１は、集積把の後端に位置した紙葉類ｐの表面一部に当接して配置されるプレート状の部材により形成されている。このクランプアーム１２１は、モータ１２３により無端走行される搬送ベルト１２５に取付けられ、モータ１２３を回転することにより矢印ａ方向に沿って移動可能となっている。
【００７６】
集積把の進行方向前側のクランプアーム１２２は、集積把の前面および下面の一部に当接される互いに離間して配置された３本のＬ字形の爪部材を有している。クランプアーム１２２は、モータ１２４により無端走行される搬送ベルト１２６に取付けられ、モータ１２４を回転することにより矢印ａ方向に沿って移動可能となっている。
【００７７】
しかして、各クランプアーム１２１、１２２をそれぞれのモータ１２３、１２４により独立して駆動させることにより、集積把を狭持しつつ切出し部Ｄへ供給することができ、集積把の集積方向前端部に位置した把ｔを所定の切出し位置に配置することができる。尚、集積把が切出し部Ｄに供給されて端部の把ｔが所定の切出し位置に配置されると、各クランプアーム１２１、１２２による拘束力が解除され、所定の切出し位置に配置された集積把端部の把ｔが自由に取出せるようになる。
【００７８】
図２１乃至図２３に示すように、搬送装置１３０は、供給装置１２０を介して矢印ａ方向に供給される集積把の供給方向前方に対向して配置された第１搬送機構１３０ａ（図２１、２２参照）、および第１搬送機構１３０ａにより取出された把ｔを第１搬送機構１３０ａとの間で狭持して搬送する第２搬送機構１３０ｂ（図２３参照）を備えている。
【００７９】
第１搬送機構１３０ａは、供給装置１２０によって切出し部Ｄに供給された集積把の前端に位置した把ｔから順に図中矢印ｂ方向（集積把の供給方向ａと直交する鉛直上方向）に切出すための上述したリフトコンベア８を有している。即ち、リフトコンベア８の搬送面は、集積把の供給方向と直交する面内に配置され、供給装置１２０によって供給される集積把の前端に位置した把ｔ、即ち所定の切出し位置に配置された把ｔがこの搬送面に所定圧力で押付けられるようになっている。
【００８０】
リフトコンベア８は、矢印ｂ方向に無端走行される３本の搬送ベルト１３１、１３２、１３３を有し、各搬送ベルト１３１、１３２、１３３の搬送面には、各搬送ベルトに押付けられた把ｔの下端面に係合される突起１３１ａ、１３２ａ、１３３ａが設けられている。尚、各突起は、無端走行される搬送ベルト上にそれぞれ等間隔で２つずつ設けられ、各突起は各搬送ベルト１３１、１３２、１３３に関して水平方向に一致した位置に配置されている。
【００８１】
各搬送ベルト１３１、１３２、１３３の上端および下端には、各搬送ベルトを巻回したプーリーを同軸上に備えた回転軸１３４、１３５が互いに平行且つ水平に延びて配設されている。下端側の回転軸１３５には、モータ１３６により無端走行される搬送ベルト１３７を巻回したプーリー１３８が同軸に設けられ、モータ１３６による駆動力が搬送ベルト１３７、およびプーリー１３８を介して回転軸１３５に伝達され、搬送ベルト１３１、１３２、１３３が矢印ｂ方向に走行されるようになっている。尚、上端側の回転軸１３４には、モータ１３６による駆動力を第２搬送機構１３０ｂに伝達するためのギアプーリー１４０が同軸に設けられている。
【００８２】
第２搬送機構１３０ｂは、上述した第１搬送機構１３０ａの上方でリフトコンベア８の搬送面から所定距離離間した位置に対向して配置されている。第２搬送機構１３０ｂは、第１搬送機構１３０ａの上端側の回転軸１３４に所定距離離間して互いに平行且つ隣接して配置された回転軸１４１を有し、この回転軸１４１を中心に揺動自在となっている。この回転軸１４１の両端近傍には、回転軸１４１を中心に揺動自在に取付けられ回転軸１４１から垂下された一対のホルダー１４２、１４４が取付けられている。
【００８３】
各ホルダー１４２、１４４には、第１搬送機構１３０ａのリフトコンベア８と共同する複数本の搬送ベルト１４５が配設されている。各搬送ベルト１４５は、回転軸１４１上に固設されたプーリーおよび各ホルダー１４２、１４４の揺動の先端近くに回動自在に設けられたプーリーに巻回されて張設されている。尚、一方のホルダー１４２には２本の搬送ベルト１４５が設けられ、他方のホルダー１４４には１本の搬送ベルト１４５が設けられている。そして、各搬送ベルト１４５の搬送面がリフトコンベア８の搬送面から所定距離離間して配置されている。
【００８４】
また、第２搬送機構１３０ｂの回転軸１４１上には、第１搬送機構１３０ａの上端側の回転軸１３４上に設けられたギアプーリー１４０と歯合するギア１４６が固設されている。しかして、第１搬送機構１３０ａのモータ１３６による駆動力が第２搬送機構１３０ｂのギア１４６を介して回転軸１３４に伝達され、各搬送ベルト１４５が矢印ｂ方向に走行される。
【００８５】
また、一方のホルダー１４２には、後述する印字装置１６０を取付けるための突起部１４２ａが形成されているとともに、第１搬送機構１３０ａとの間の間隙を一定に保つため第１搬送機構１３０ａの一部に突き当てられるストッパ１４２ｂが形成されている。また、第２搬送機構１３０ｂの上端近くには、第１搬送機構１３０ａとの間で狭持されて上方に搬送される把ｔの姿勢を強制的に変えるための湾曲されたガイド部材１４７が設けられている。
【００８６】
しかして、第１搬送機構１３０ａのリフトコンベア８の搬送面に集積把が押付けられた状態でモータ１３６が作動されてリフトコンベア８が矢印ｂ方向に走行を開始されると、リフトコンベア８の各搬送ベルト１３１、１３２、１３３に設けられた突起１３１ａ、１３２ａ、１３３ａが所定の切出し位置に配置された集積把の端部の把ｔの下端面に係合され、端部に位置した把ｔのみがリフトコンベア８によって矢印ｂ方向に切出される。そして１つの把ｔが切出されると、供給装置１２０によって集積把が移動される。
【００８７】
第１搬送機構１３０ａのリフトコンベア８によって切出された把ｔが所定の高さ位置まで搬送されると、第２搬送機構１３０ｂの搬送ベルト１４５とリフトコンベア８との間で把ｔが狭持される。この際、第２搬送機構１３０ｂが回転軸１４１を中心に揺動可能に保持されているとともに、一方のホルダー１４２に形成されたストッパ１４２ｂによって規定される最低ギャップが把ｔの集積方向の厚さより僅かに少なく設定されているため、第１搬送機構１３０ａとの間に搬送された把ｔは、第２搬送機構１３０ｂの自重によりリフトコンベア８の搬送面との間で拘束されつつ搬送される。つまり、このような構成とすることにより、搬送される把ｔの厚さが異なる場合であっても、第２搬送機構１３０ｂが回転軸１４１を中心に揺動させることができるため、把ｔを確実に狭持でき搬送途中の把ｔの位置がズレることを防止できる。
【００８８】
第１搬送機構１３０ａと第２搬送機構１３０ｂとの間で狭持されて搬送された把ｔは、所定の印字位置で一旦停止されて後述する印字装置１６０により小帯番号が印字された後、再び搬送を開始され、第２搬送機構１３０ｂの上端近くに設けられたガイド部材１４７を通過され、把ｔの紙葉類ｐの集積方向が鉛直方向に沿うようにその搬送姿勢が強制的に変化され、糊剥がし部Ｅに搬送される。
【００８９】
ところで、第１搬送機構１３０ａに対して供給装置１２０と反対側には、所定の切出し位置に供給された集積把の端部の把ｔの小帯ｋの位置を検知するための小帯検知装置１５０（図１８および図２４参照）が配設されている。
【００９０】
小帯検知装置１５０は、第１搬送機構１３０ａのリフトコンベア８に押付けられた把ｔの端面をイメージとして捉えるＣＣＤイメージセンサを有し、このイメージから把ｔの小帯ｋの位置、即ち把ｔの長手方向に沿った小帯ｋの位置を検知する。
【００９１】
また、上述した第２搬送機構１３０ｂの一方のホルダー１４２に形成された突起部１４２ａには、搬送装置１３０にて搬送される把ｔの小帯ｋに小帯番号を印字するための印字装置１６０が取付けられている。このように取付けられた印字装置１６０は、第２搬送機構１３０ｂが揺動されるとともに揺動される。
【００９２】
図２５および図２６に示すように、印字装置１６０は、搬送装置１３０を介して搬送される把ｔの小帯ｋに対向するように配置されるプリンタユニット１６１を有している。プリンタユニット１６１は、把ｔの表面に接触配置される前面１６１ａを有し、前面１６１ａから僅かに後退した位置で把ｔの搬送方向に沿って移動する図示しないプリンタヘッドを内臓している。
【００９３】
また、印字装置１６０は、第２搬送機構１３０ｂの一方のホルダー１４２ａに取付けられた支持部材１６２を有している。支持部材１６２は、把ｔの搬送面と平行且つ略水平に延びたボールネジ１６４を保持している。ボールネジ１６４には、ナットを介してプリンタユニット１６１が把ｔの搬送方向を横切る方向にスライド自在に取付けられている。
【００９４】
ボールネジ１６４の一端には、無端状の搬送ベルト１６６を介してモータ１６８に接続されたプーリ１６４ａが設けられ、モータ１６８の回転駆動力が搬送ベルト１６６およびプーリ１６４ａを介してボールネジ１６４に伝達されるようになっている。
【００９５】
しかして、小帯検知装置１５０による検知結果に応じてモータ１６８が回転されると、プリンタユニット１６１が把ｔの搬送方向を横切る方向にスライドされ、把ｔの小帯ｋの位置とプリンタヘッドの位置が一致される。
【００９６】
そして、第１および第２搬送機構１３０ａ、１３０ｂの間を通って搬送装置１３０によって把ｔが搬送され、第２搬送機構１３０ｂが把ｔの厚さに応じて揺動されると、把ｔが第２搬送機構１３０ｂの自重によって拘束されるとともに印字装置１６０も同時に揺動され、プリンタユニット１６１の前面１６１ａが把ｔの表面に当接される。これにより、第１および第２搬送機構によって狭持された把ｔの小帯ｋに対してプリンタユニット１６１の前面１６１ａが接触され、プリンタヘッドと小帯ｋとの間のギャップが一定に保持される。
【００９７】
次に、上記のように構成された小帯印字装置による印字動作を制御する制御系について、図２７を参照して説明する。
【００９８】
小帯印字装置の制御系は、制御手段として作用する制御部１８０を備えている。制御部１８０には、所定の切出し位置に供給された把ｔの小帯ｋの位置を検知する小帯検知装置１５０、各種制御データを格納しているとともに小帯ｋに印字すべき小帯番号を記憶したメモリ１８２が接続されている。
【００９９】
また、制御部１８０には、供給装置１２０の一対のクランプアーム１２１、１２２をそれぞれ独立して駆動させるためのモータ１２３、１２４、搬送装置１３０の第１および第２搬送機構１３０ａ、１３０ｂに設けられた各搬送ベルト１３１、１３２、１３３、１４５をそれぞれ連動させて所定方向に走行させるためのモータ１３６、および印字装置１６０のプリンタユニット１６１を所定方向に移動させるためのモータ１６８が接続されている。
【０１００】
次に、上記のように構成された小帯印字装置による印字動作について、図２８を参照して説明する。
【０１０１】
まず、方向変換部Ｃで方向変換された集積把を供給装置１２０の一対のクランプアーム１２１、１２２によって狭持する（ステップ１）。この状態で、各クランプアーム１２１、１２２を矢印ａ方向に移動して、集積把を搬送装置１３０のリフトコンベア８に押付ける。これにより、集積把の供給方向前端部に位置した把ｔが所定の切出し位置に配置される（ステップ２）。
【０１０２】
集積把の端部の把ｔが所定の切出し位置に配置されると、小帯検知装置１５０によってこの把ｔの小帯ｋの位置が検知される（ステップ３）。
【０１０３】
そして、ステップ３による検知結果に従って、プリンタユニット１６１が小帯ｋの位置に合せて移動される（ステップ４）。
【０１０４】
次に、搬送装置１３０のリフトコンベア８の走行が開始され、集積把の前端部に位置した把ｔ切出し位置から切出されて所定の印字位置まで搬送されて停止される（ステップ５）。
【０１０５】
そして、停止された把ｔの小帯ｋに印字装置１６０を介して小帯番号が印字され（ステップ６）、印字が終了された把ｔの搬送が再開されて次工程へ供給される（ステップ７）。
【０１０６】
次に、上述した糊剥がし部Ｅ、小帯処理部Ｆ、および搬送部Ｇについて、図２９乃至図４５を参照して説明する。
【０１０７】
図２９に示すように、搬送部Ｇは、把ｔを基準位置まで搬送して停止させるための第１搬送コンベア２２１および第２搬送コンベア２２２、これらを動かす駆動部としての第１コンベア駆動モーター２２３及びタイミングベルト２２４、および第２コンベア駆動モーター２２５及びタイミングベルト２２６によって構成されている。
【０１０８】
集積把から切出された把ｔは、第１搬送機構１３０ａおよび第２搬送機構１３０ｂ間で挟持されて搬送され、その途中で小帯番号が印字され、第１搬送コンベア２２１上の所定の位置に横転される。所定の位置に搬送された把ｔは、駆動モータ２２３の起動により、タイミングベルト２２４を介して第１搬送コンベア２２１が回転走行されることにより、第２搬送コンベア２２２へ搬送される。しかるのち、今度は駆動モータ２２５を起動してタイミングベルト２２６を介して第２搬送コンベア２２２を回転させ、小帯検知装置１５０で得た帯位置情報に基づいて把ｔを施封した小帯ｋが所定位置に来るように把ｔの搬送量が制御される。
【０１０９】
第２搬送コンベア２２２の上方には、第２搬送コンベア２２２と共同して、把ｔを湾曲させつつ搬送する一対の上側コンベア２１８が配設されている。各上側コンベア２１８は、第２搬送コンベア２２２に沿って互いに離間されて並設され、図示しない駆動機構によって等速で駆動される。上側コンベア２１８間には、後述する小帯キャッチ２３０が配設されている。第２搬送コンベア２２２は、搬送方向に沿って互いに略平行に延びた一対の搬送ベルト２２２ａを有し、上側コンベア２１８は搬送ベルト２２２ａ間で走行される。また、第２搬送コンベア２２２は、図示しない昇降機構によって上方、即ち上側コンベア２１８に向けて移動可能となっている。
【０１１０】
しかして、把ｔが第２搬送コンベア２２２上の所定位置まで搬送されると、第２搬送コンベア２２２が上方に移動され、把ｔの下面側両側部が押上げられ、把ｔの短手方向略中央部が上側コンベア２１８に押し付けられる。これにより、把ｔは、図３０に示すように、短手方向で湾曲変形させられる。
【０１１１】
この時、第２搬送コンベア２２２の搬送ベルト２２２ａおよび上側コンベア２１８によって挟持される部分は紙葉類ｐの部分だけに限定する。すなわち、小帯ｋの部分には上側コンベア２１８を配置しないことにより、小帯ｋを把ｔの上側で浮き上がらせる。
【０１１２】
このように、第２搬送コンベア２２２および上側コンベア２１８によって挟持され、湾曲状態に変形された把ｔは、そのままの状態で上側コンベア２１８、および第２搬送コンベア２２２によりさらに搬送される。
【０１１３】
図３１に示すように、小帯キャッチ２３０Ａ、２３０Ｂは、キャッチ下側アーム２３１，２３２と上側アーム２３３，２３４を有している。キャッチ下側アーム２３１，２３２は可動ベース２４０Ａ，２４０Ｂに支軸２４０ａを介して回動自在に支持され、その上端部には溝２３１ａ，２３２ａが形成されている。この溝２３１ａ，２３２ａにはピン２３８を介してアーム２３７の下端部が接続されている。アーム２３７はモータアーム２３６を介して回転用の駆動モータ２３５に接続されている。上側アーム２３３，２３４は可動ベース２４０Ａ，２４０Ｂに固定的に設けられている。
【０１１４】
回転用の駆動モータ２３５はモータベース２４６に取り付けられ、このモータベース２４６にはスライド用の駆動モータ２４１が取り付けらている。スライド用の駆動モータ２４１にはアーム２４２およびベアリング２４３，２４４を介して可動ベース２４０Ａ、２４０Ｂが接続され、可動ベース２４０Ａ，２４０Ｂはガイドシャフト２４７，２４７により左右方向に互いに接離する方向にスライド自在に支持されている。
【０１１５】
キャッチ下側アーム２３１，２３２は、図３２に示すように、湾曲変形されて搬送されてくる把ｔの最上端の紙葉類ｐの表面と小帯ｋの内側との間に差し込まれ、把ｔが小帯切断位置に停止させられると、回転用の駆動モータ２３５の駆動により上方へ回動されて、図３３に示すように、キャッチ上側アーム２３３、２３４に小帯ｋを押し付けて挾圧保持する。
【０１１６】
キャッチ下側アーム２３１、２３２の開閉動作は、駆動モータ２３５の回転駆動力でアーム２３６を介してリンクアーム２３７を回し、リンクアーム２３７の先端のピン２３８を動作させることによって各々のキャッチ下側アーム２３１、２３２を動かし、キャッチ下側アーム２３１、２３２を開閉させる。
【０１１７】
また、一対の小帯キャッチ２３０Ａ、２３０Ｂは、図３４に示すように、両者の間に介在される小帯カッター２５１の回転／スライド動作により小帯ｋが所定の位置で切断された後、図３５に示すように、小帯ｋを挟持保持した状態のまま、各々外側へスライドされて切断した小帯ｋ´の拘束状態を緩める。
【０１１８】
この小帯キャッチ２３０Ａ、２３０Ｂのスライド動作は、スライド用の駆動用モーター２４１の回転駆動力でアーム２４２を回転させ、アーム２４２の両端に取り付けたベアリング２４３、２４４を回し、各々の可動ベース２４０Ａ、２４０Ｂの上端に設けた溝を移動させることによって、各々別方向への直動を行う。
【０１１９】
図３５に示すように切断された小帯ｋ´の拘束状態が緩められると、上昇された第２搬送コンベア２２２が規定量降下されて、図３６に示すように、把ｔの湾曲変形状態が解除される。
【０１２０】
把ｔは湾曲変形が解除された状態で第２搬送コンベア２２２と上側コンベア２１８との間で挟持され、この２組のコンベア２２２、２１８でさらに挟持搬送することにより、図３７に示すように、切断された小帯ｋ´からバラ状態の複数枚の紙葉類ｐとして引き抜かれ、完全に小帯ｋ´から分離される。
【０１２１】
小帯ｋ´から引き抜かれ、バラ状態になった紙葉類ｐはさらに挟持搬送され、検査機６へと送られる。そして、小帯キャッチ２３０Ａ、２３０Ｂは、バラの紙葉類ｐが搬送された後、小帯ｋを切断する前の状態（図３３に示す状態）まで互いに近接されて待機される。
【０１２２】
次に、切断されて小帯キャッチ２３０によって掴まれた小帯ｋ´を回収する小帯回収装置２６０について、図３８および図３９を参照して説明する。
【０１２３】
小帯回収装置２６０は、小帯キャッチ２３０Ａ、２３０Ｂによって掴まれた小帯ｋ´を小帯キャッチ２３０Ａ、２３０Ｂから受け取る小帯クランパ２７１を有している。小帯クランパ２７１は、小帯キャッチ２３０によって挟持された小帯ｋ´の下側に配置される一対の下側アーム２７３、および小帯ｋ´の上側に配置され、各下側アーム２７３に向けて支軸２７４ａを中心に回動自在に設けられ下側アーム２７３との間で小帯ｋ´を挟持拘束する一対の上側アーム２７４を有している。小帯クランパ２７１は、鉛直方向に延設されたスライドレール２７２の上端近くに固設されており、スライドレール２７２とともに移動される。下側アーム２７３はスライドレール２７２に固設され、上側アーム２７４は図示しないバネにより各下側アーム２７３方向に付勢されている。
【０１２４】
このように、小帯クランパ２７１と一体的に設けられたスライドレール２７２は、小帯クランパ２７１の下方に設けられたスライドブロック２７５によって上下方向にスライド可能に支持されている。そして、このスライドブロック２７５は、小帯クランパ２７１の下方に配設されたカム板２７６の表面に沿って略水平方向に互いに並設された一対のスライドレール２７７によって略水平方向にスライド自在に支持されている。従って、スライドレール２７２と一体の小帯クランパ２７１は、カム板２７６に沿った面内を自由に移動できるようになっている。
【０１２５】
カム板２７６には、小帯クランパ２７１の移動の軌跡を規定するためのカム溝２７６ａが形成されている。カム溝２７６ａには、スライドレール２７２の下端近くから突設された図示しないピンが嵌入されている。しかして、ピンをカム溝２７６ａに沿ってスライドさせることにより、スライドレール２７２をカム溝２７６ａに沿って移動でき、小帯クランパ２７１をカム溝２７６ａに沿って移動できる。
【０１２６】
スライドレール２７２に対してカム板２７６の反対側には、スライドレール２７２のピンをカム溝２７６ａに沿ってスライドさせるためのスライド機構２８０が配設されている。スライド機構２８０は、駆動モータ２８１、駆動モータ２８１の回転軸に回動自在に設けられたアーム２８１ａ、アーム２８１ａの回動先端にピンを介して接続された第１の長孔２８２ａを有するリンクアーム２８２、およびアーム２８１ａの回動位置を検知する複数のセンサ２８３、２８４、２８５を備えている。
【０１２７】
リンクアーム２８２の基端は、カム板２７６に対して軸２８２ｃを中心に回動自在に取付けられ、リンクアーム２８２の揺動の先端近くに第２の長孔２８２ｂを有している。そして、カム溝２７６ａを通ったスライドレール２７２のピンがカム板２７６の裏側でリンクアーム２８２の第２の長孔２８２ｂに嵌入されている。
【０１２８】
しかして、駆動モータ２８１を回転させてアーム２８１ａを揺動させ、揺動の先端に設けられたピンをリンクアーム２８２の第１の長孔２８２ａ内でスライドさせ、軸２８２ｃを中心にリンクアーム２８２を揺動させると、リンクアーム２８２の第２の長孔２８２ｂに嵌入されたピンがカム溝２７６ａに沿ってスライドされ、スライドレール２７２とともに小帯クランパ２７１が移動される。
【０１２９】
小帯クランパ２７１が待機位置に配置された図３９に示す状態では、駆動モータ２８１の回転軸に設けられたアーム２８１ａはセンサ２８３によって検知されている。小帯クランパ２７１は、待機位置に向けて上昇される際に、小帯クランパ２７１の上方に固設されたカムブロック２７８に押し当てられ、下側および上側アーム２７３、２７４が開かれる。つまり、小帯クランパ２７１の上側アーム２７４の基端部が小帯クランパ２７１の上昇によってカムブロック２７８に押し付けられ、上側アーム２７４がバネの付勢力に抗して下側アーム２７３から離間される。
【０１３０】
駆動モータ２８１の回動によりアーム２８１ａおよびリンクアーム２８２が揺動され、小帯クランパ２７１が待機位置から更に上方にスライドされると、駆動モータ２８１のアーム２８１ａがセンサ２８４によって検知された時点で、小帯クランパ２７１がその移動の最上端、即ち小帯掴み位置に配置され、同時にカムブロック２７８による上側アーム２７４に対する付勢力が解除される。これにより、図４０に示すように、小帯キャッチ２３０Ａ、２３０Ｂによって小帯掴み位置で挟持拘束された小帯ｋ´が小帯クランパ２７１によってクランプされる。このとき、小帯クランパ２７１は、小帯キャッチ２３０Ａ、２３０Ｂにより挟持された位置より外側の位置で小帯ｋ´をクランプする。
【０１３１】
このように、小帯クランパ２７１によって小帯ｋ´がクランプされると、小帯キャッチ２３０Ａ、２３０Ｂによる小帯ｋ´の拘束が解除され、小帯ｋ´が小帯クランパ２７１に受け渡される。そして、小帯ｋ´を受け渡した後の小帯キャッチ２３０Ａ、２３０Ｂは、次の小帯ｋ´に備えて待機される。
【０１３２】
小帯クランパ２７１によって小帯ｋ´がクランプされると、駆動モータ２８１が更に回動されて、今度はリンクアーム２８２が逆方向に揺動を開始され、スライドレール２７２を介して小帯クランパ２７１がカム溝２７６ａの軌跡に沿って下方にスライドされる。そして、駆動モータ２８１のアーム２８１ａがセンサ２８５によって検知された時点で駆動モータ２８１が停止され、小帯クランパ２７１がそのスライドの最下端の位置、即ち小帯受渡し位置へ配置される。
【０１３３】
小帯受渡し位置には、図３８に示すように、小帯搬送ガイド２９１が配設されている。小帯搬送ガイド２９１は、略水平面を延びて設けられた基材２９０上の所定位置に配設されている。小帯搬送ガイド２９１は、小帯受渡し位置から小帯ｋ´の搬送方向、即ち小帯ｋ´の長手方向を横切る方向（以下、単に前後方向ともいう）に沿って延びた複数のスライド溝２９１ａを有している。
【０１３４】
小帯搬送ガイド２９１の上方には、小帯クランパ２７１によって挟持された状態で小帯受渡し位置に移動された小帯ｋ´を小帯搬送ガイド２９１に押し付けるとともに、小帯ｋ´を小帯クランパ２７１から受取るための小帯プレス２９２が配設されている。小帯プレス２９２は、その下端に小帯搬送ガイド２９１の溝２９１ａと噛み合う複数の爪２９２ａを有し、各爪２９２ａの先端は、小帯ｋ´の搬送方向後端部に係合するため下方に突出した係合部を有している。
【０１３５】
小帯プレス２９２は、鉛直方向に延設された昇降用のスライドレール２９３によって上下方向にスライド自在に支持されている。スライドレール２９３は、ベース部材２９４に固設されている。ベース部材２９４は、小帯ｋ´の搬送方向に沿って延設された搬送用のスライドレール２９５によって前後にスライド自在に支持されている。つまり、小帯プレス２９２は、前後方向および上下方向にスライド可能となっている。尚、ベース部材２９４の所定位置には、小帯クランパ２７１による小帯ｋ´の拘束力を解除する解除機構（後述する）を作動させるためのベアリング２９４ａが取付けられている。
【０１３６】
小帯プレス２９２は、小帯プレス２９２を昇降用のスライドレール２９３に沿って上下にスライドさせる昇降機構３００、および小帯プレス２９２を搬送用のスライドレール２９５に沿って前後にスライドさせる搬送機構３１０に接続されている。
【０１３７】
昇降機構３００は、昇降用の駆動モータ３０１、小帯プレス２９２のスライド方向、即ち前後方向に延びたスプラインシャフト３０２、スプラインシャフト３０２に駆動モータ３０１の回転駆動力を伝達するタイミングベルト３０３、およびスプラインシャフト３０２に対して揺動自在に取付けられたリンクアーム３０４を備えている。リンクアーム３０４の揺動の先端近には、ピン３０４ａを介して小帯プレス２９２が接続されている。
【０１３８】
駆動モータ３０１の回転駆動力は、タイミングベルト３０３を介してスプラインシャフト３０２に伝達され、スプラインシャフト３０２が回転されてリンクアーム３０４が揺動され、小帯プレス２９２がスライドレール２９３に沿って上下にスライドされる。
【０１３９】
タイミングベルト３０３が巻回されたスプラインシャフト３０２の基端側の図示しないプーリには、図示しない遮光板が設けられ、プーリの周りには遮光板を検知する複数のセンサ３０５、３０６、３０７が配設されている。センサ３０５、３０６、３０７によって遮光板を検知することにより、スプラインシャフト３０２の回動位置を検知でき、小帯プレス２９２の上下位置を検知できる。
【０１４０】
小帯プレス２９２が待機位置に配置された図３８に示す状態では、小帯プレス２９２は最も高い位置に配置されており、遮光板がセンサ３０７によって検知されている。また、駆動モータ３０１が回転されてセンサ３０６によって遮光板が検知された状態では、小帯プレス２９２は小帯搬送ガイド２９１上の小帯受渡し位置まで下降される。更に、駆動モータ３０１が回転されてセンサ３０５によって遮光板が検知された状態では、小帯プレス２９２は後述する小帯収納位置まで下降される。
【０１４１】
一方、搬送機構３１０は、搬送用の駆動モータ３１１、および駆動モータ３１１の回転駆動力を小帯ｋ´の搬送方向に沿った直動力に変換してベース部材２９４に伝達するタイミングベルト３１２を備えている。タイミングベルト３１２は、駆動モータ３１１の回転軸に設けられたプーリ３１３ａ、および小帯搬送ガイド２９１の近くに設けられたプーリ３１３ｂ、３１３ｃに巻回されて張設され、小帯ｋ´の搬送方向に沿って走行される。
【０１４２】
タイミングベルト３１２の所定位置には、ベース部材２９４が固設されているとともに、遮光板３１４が固設され、遮光板３１４がそれぞれ所定位置に配置されたセンサ３１５、３１６、３１７によってそれぞれ検知されることにより、タイミングベルト３１２の走行位置を検知できる。
【０１４３】
駆動モータ３１１の回転駆動力は、プーリ３１３ａ、およびタイミングベルト３１２を介してベース部材２９４に伝達され、ベース部材２９４がスライドレール２９５に沿って前後方向にスライドされる。つまり、ベース部材２９４とともに小帯プレス２９２が前後方向にスライドされる。
【０１４４】
タイミングベルト３１２に固設された遮光板３１４がセンサ３１７によって検知された状態では、小帯プレス２９２は小帯受渡し位置の上方に配設される。また、遮光板３１４がセンサ３１６によって検知された状態では、小帯プレス２９２は図３８に示す待機位置に配置される。更に、遮光板３１４がセンサ３１５によって検知された状態では、小帯プレス２９２は小帯収納位置の上方に配設される。
【０１４５】
しかして、小帯クランパ２７１によって小帯受渡し位置へ移動された小帯ｋ´を後述する小帯収納部へ収納する場合、まず、待機位置に配置された小帯プレス２９２を搬送機構３１０によって前方へ移動させる。この場合、搬送用の駆動モータ３１１が駆動されてその回転駆動力がプーリ３１３ａおよびタイミングベルト３１２を介して直動に変換される。これにより、ベース部材２９４がスライドレール２９５を介して移動され、小帯プレス２９２が待機位置から小帯受渡し位置へ移動される。そして、センサ３１７によって遮光板３１４が検知された時点で駆動モータ３１１が停止され、小帯プレス２９２が小帯受渡し位置の上方に配置される。
【０１４６】
このとき、ベース部材２９４に取付けられたベアリング２９４ａも同時に移動され、小帯クランパ２７１の拘束力を解除する解除機構３２０（図３９参照）が作動される。
【０１４７】
解除機構３２０は、支持部材３２２を介して小帯プレス２９２のスライド方向前方の所定位置に固定配置されている。支持部材３２２には、鉛直方向に延びたスライドレール３２４が固設され、スライドレール３２４にはベアリング２９４ａに向けて突出したアーム３２１がスライド自在に取付けられている。アーム３２１の先端には傾斜部３２１ａが形成されている。アーム３２１は、この傾斜部３２１ａが、移動してくるベアリング２９４ａに係合する高さを基準位置として、基準位置より下方に移動可能にスライドレール３２４によって支持されている。尚、アーム３２１は、図示しないバネにより基準位置へ付勢されている。
【０１４８】
また、スライドレール３２４には、アーム３２１と一体にスライドする押し下げ板３２６が移動可能に取付けられている。押し下げ板３２６は、アーム３２１が基準位置に配置された状態で、小帯受渡し位置に配置された小帯クランパ２７１の上側アーム２７４の基端部上に配置されている。
【０１４９】
しかして、小帯プレス２９２の移動に伴いベアリング２９４ａが前方へ移動されると、アーム３２１がベアリング２９４ａによって下方へ押し下げられる。このとき、押し下げ板３２６もアーム３２１と同時に押し下げられ、小帯クランパ２７１の上側アーム２７４が開かれる。これにより、小帯クランパ２７１による小帯ｋ´の拘束が解除される。
【０１５０】
このように、小帯プレス２９２が小帯受渡し位置の上方に配置され、小帯クランパ２７１による拘束力が解除されると、続いて、昇降機構３００によって小帯プレス２９２が搬送位置まで下降される。この場合、昇降用の駆動モータ３０１が駆動されてその回転駆動力がタイミングベルト３０３、スプラインシャフト３０２、およびリンクアーム３０４を介して直動に変換される。これにより、小帯プレス２９２がスライドレール２９３を介して移動される。そして、センサ３０６によって遮光板（図示せず）が検知された時点で駆動モータ３０１が停止され、小帯プレス２９２が小帯受渡し位置へ配置される（図４１参照）。
【０１５１】
この状態で、小帯プレス２９２の爪２９２ａが小帯搬送ガイド２９１のスライド溝２９１ａ内に配置され、小帯ｋ´の搬送方向後端が小帯プレスの爪２９２ａ先端に係合される。尚、小帯受渡し位置に配置された小帯クランパ２７１の各アーム２７３、２７４は、小帯プレス２９２の爪２９２ａの間に配置される。
【０１５２】
続いて、搬送機構３１０の駆動モータ３１１が回転され、ベース部材２９４がスライドレール２９５に沿って後方へ移動され、小帯ｋ´が後方へ搬送される（図４２参照）。そして、センサ３１５によって遮光板３１４が検知された時点で駆動モータ３１１が停止され、小帯プレス２９２が後述する小帯収納部の上方へ移動される。この状態で、小帯ｋ´は、小帯プレス２９２と後述する入口ブラシとの間に挟持拘束されている。
【０１５３】
このように、小帯プレス２９２が小帯受渡し位置から退避されると、ベース部材２９４のベアリング２９４ａも後方に移動され、解除機構３２０のアーム３２１がバネの付勢力により基準位置へ復帰される。これにより、解除機構３２０の押し下げ板３２６も上昇され、小帯クランパ２７１の上側アーム２７４が下側アーム２７３に係合する位置まで戻される。そして、小帯ｋ´を受け渡した小帯クランパ２７１は、次の小帯ｋ´を掴みにいく。
【０１５４】
小帯プレス２９２が小帯収納部の上方へ配置されると、昇降機構３００の駆動モータ３０１が回転され、小帯プレス２９２がその最下端の小帯収納位置に向けて下降される（図４３参照）。そして、センサ３０５によって遮光板（図示せず）が検知された時点で駆動モータ３０１が停止され、小帯プレス２９２が小帯収納位置へ配置され、小帯ｋ´が小帯収納部内の所定位置に収納される。
【０１５５】
最下端位置まで下降されて小帯ｋ´を収納した小帯プレス２９２は、センサ３０７が遮光板を検知するまで昇降機構３００によって上昇された後、センサ３１６が遮光板３１４を検知するまで搬送機構３１０によって前方に移動され、所定の待機位置へ戻される。
【０１５６】
次に、小帯プレス２９２によって搬送された小帯ｋ´を収納する小帯収納部３３０について、図４３および図４４を用いて説明する。
【０１５７】
小帯収納部３３０は、小帯搬送ガイド２９１が載置された基材２９０の下側に所定距離離間して設けられ、小帯ｋ´とともに小帯プレス２９２を受け入れる小帯収納カセット（以下、単に小帯カセットと称する）３３１を備えている。小帯カセット３３１は、小帯収納部３３０内の所定位置に脱着可能に取付けられ、カセットを特定するためのカセット番号を記録したバーコード（図示せず）が付与されている。このバーコードは、小帯カセット３３１が所定位置にセットされた状態で、ＣＣＤセンサ１４によって読取られるようになっている。
【０１５８】
小帯カセット３３１の上方の基材２９０には、小帯プレス２９２を小帯カセット３３１内の小帯収納位置へ案内するための収納部開口２９０ａが形成されている。収納部開口２９０ａには、収納部開口２９０ａ上まで搬送された小帯ｋ´が小帯カセット３３１へ落下することを防止するとともに小帯プレス２９２との間で小帯ｋ´を挟持拘束する入口ブラシ３３２が配設されている。入口ブラシ３３２は、小帯ｋ´の搬送方向に沿って延設され、小帯プレス２９２の通過を許容するようにその先端がフレキシブルに移動可能となっている。
【０１５９】
小帯カセット３３１の開放された上面には、小帯ｋ´を小帯カセット３３１内に取り込むためのカバー３３４が配設されている。カバー３３４は、小帯カセット３３１の一側面に設けられた軸３３３を中心に回動自在に設けられ、小帯カセット３３１の上面を開閉可能となっている。軸３３３には、カバー３３４を開閉させる駆動部３３５が接続されている。尚、カバー３３４は、小帯カセット３３１の上面を閉塞したときに、小帯プレス２９２の複数の爪２９２ａの間に入れ子状態となる図示しない複数の爪により構成されている。
【０１６０】
小帯カセット３３１内には、小帯プレス２９２により小帯収納位置へ搬送された小帯ｋ´を受取る受け板３３６が配設されている。受け板３３６は、断面Ｌ字形のバネ３３７により小帯カセット３３１内の所定の高さに支持され、小帯ｋ´を載置するにつれて下方に移動される。つまり、小帯プレス２９２によって搬送された小帯ｋ´は、常に所定の小帯収納位置へ配置される。
【０１６１】
しかして、入口ブラシ３３２上に搬送された小帯ｋ´を小帯カセット３３１内に収納する場合、まず、駆動部３３５によりカバー３３４が開放された状態で、小帯プレス２９２が小帯カセット３３１内の小帯収納位置まで下降される。これにより、入口ブラシ３３２と小帯プレス２９２との間に挟持された小帯ｋ´が小帯カセット３３１内に押し込まれ、所定の収納位置へ配置される。そして、駆動部３３５によりカバー３３４が閉塞され、カバー３３４の爪が小帯プレス２９２の爪２９２ａと入れ子状態となる。このとき、カバー３３４の各爪は、小帯プレス２９２により押し込まれた小帯ｋ´の上側に配置される。この状態で、小帯プレス２９２が上昇され、小帯ｋ´が収納される。
【０１６２】
次に、上記のように構成された小帯回収装置２６０の動作を制御する制御系について、図４５に示すブロック図を用いて説明する。
【０１６３】
小帯回収装置２６０の制御系は、制御手段としての制御部３５０を備えている。制御部３５０には、小帯クランパ２７１のスライド位置を検知するセンサ２８３、２８４、２８５、小帯プレス２９２の高さ位置を検知するセンサ３０５、３０６、３０７、および小帯プレス２９２前後のスライド位置を検知するセンサ３１５、３１６、３１７が接続されている。
【０１６４】
また、制御部３５０には、小帯クランパ２７１をカム溝２７６ａに沿ってスライドさせるスライド機構２８０の駆動モータ２８１、小帯プレス２９２をスライドレール２９３に沿って上下させる昇降機構３００の昇降用の駆動モータ３０１、小帯プレス２９２をスライドレール２９５に沿ってスライドさせる搬送機構３１０の搬送用の駆動モータ３１１、および小帯収納部３３０の小帯カセット３３１のカバー３３４を開閉させる駆動部３３５が接続されている。
【０１６５】
以上のように、上述した小帯回収装置２６０によると、紙葉類から分離されて小帯キャッチ２３０によって掴まれた小帯ｋ´が、小帯クランパ２７１によって挟持されて搬送ガイド２９１上へ搬送され、搬送ガイド２９１上で小帯プレス２９２によって押圧された状態で小帯収納部３３０へ搬送されて回収される。
【０１６６】
次に、上述した大帯カセット２５または小帯カセット３３１に収納された大帯Ｋまたは小帯ｋをその大帯番号または小帯番号に基づいて探し出す帯検索システム４００について、図４６乃至図４９を参照して説明する。
【０１６７】
紙葉類の束Ｔから切除された大帯Ｋおよび小帯ｋは、それぞれ上述したように、大帯番号あるいは小帯番号が印字された状態で、大帯カセット２５または小帯カセット３３１内に収納される。そして、各カセット２５、３３１は、カセット内の帯が満杯になる度に、空のカセットに交換される。つまり、多数の束Ｔを処理した場合、多数の大帯カセット２５および多数の小帯カセット３３１がそれぞれ帯を満杯にした状態で装置から取出されていることになる。本発明は、このような多数のカセットから所望の帯を探し出すための帯検索システムに関する。
【０１６８】
帯検索システム４００は、投入された束Ｔから大帯Ｋおよび小帯ｋを切除して結束解除した紙葉類を検査機６に供給する前処理機１０、およびこの前処理機１０に接続された集中制御卓４１０を有している。
【０１６９】
前処理機１０は、上述したように、前処理機１０にセットされた大帯カセット２５のカセット番号（バーコード）を読取るＣＣＤセンサ１３、前処理機１０にセットされた小帯カセット３３１のカセット番号（バーコード）を読取るＣＣＤセンサ１４、投入された束Ｔの大帯Ｋ（横帯Ｋ1 および縦帯Ｋ2 ）に通し番号としての大帯番号を印字する印字ヘッド１１、１２、および結束解除された各把ｔの小帯ｋに通し番号としての小帯番号を印字する印字装置１６０を備えている。
【０１７０】
集中制御卓４１０には、上記前処理機１０における各種処理動作を実行した時刻を取得するためのタイマ４１２、検索すべき大帯Ｋの大帯番号または検索すべき小帯ｋの小帯番号を入力するためのキーボード４１４、上記タイマ４１２を介して取得される束Ｔの処理時刻、カセット番号、帯の収納開始・収納終了時刻、すなわち図４７に示すような処理時刻データを記録するための磁気ディスク４１６、およびキーボード４１４を介して入力される大帯番号または小帯番号とともに、この番号に基づいて上記磁気ディスク４１６から読み出される束Ｔの処理時刻、カセット番号、帯の収納開始・収納終了時刻（図４８参照）を表示するディスプレイ４１８が接続されている。
【０１７１】
例えば、磁気ディスク４１６には、１枚目の紙葉類が検査機６にて取出された時刻が束Ｔの処理時刻として大帯番号および小帯番号と関連付けて記録され、大帯カセット２５または小帯カセット３３１が装置にセットされた時刻が帯の収納開始時刻として記録され、カセットが装置から取出された時刻が帯の収納終了時刻として記録される。尚、束Ｔの処理時刻は、大帯Ｋまたは小帯ｋをそれぞれのカセット内に収納した時刻とすることが理想的であるが、システムの処理速度を考えると、１枚目の紙葉類を取出した時刻を帯の収納時刻と考えても差し支えない。
【０１７２】
次に、上述した帯検索システム４００を用いた帯検索動作について、図４９のフローチャートを参照して説明する。尚、ここでは大帯カセット２５に収納された大帯Ｋをその大帯番号に基づいて検索する場合を代表して説明するが、小帯ｋを検索する場合も同様である。
【０１７３】
まず、動作に先立って、図示しない別途機器を介して検索すべき大帯Ｋの大帯番号を表示した帳票が出力される。そして、この帳票にある大帯番号がオペレータによってキーボード４１４を介して入力される（ステップ１）。入力された大帯番号は、図４８に示すように、ディスプレイ４１８を介して表示される。
【０１７４】
大帯番号が入力されると、この大帯番号が付与された大帯Ｋによって結束されていた束Ｔの処理時刻が磁気ディスク４１６の帯情報テーブルから読み出される（ステップ２）。入力した大帯番号に対応した処理時刻が磁気ディスク４１６に記録されていた場合（ステップ３；ＹＥＳ）、この処理時刻がディスプレイ４１４を介して表示される（ステップ４）。
【０１７５】
次に、この処理時刻を含む収納開始時刻および収納終了時刻を有する大帯カセットのカセット番号が磁気ディスク４１６の帯カセット情報テーブルから読み出される（ステップ５）。つまり、大帯カセット２５が装置にセットされた時刻および装置から取出された時刻は、ＣＣＤセンサ１３を介して読取られたカセット番号に関連付けて磁気ディスク４１６に予め記録されているため、束Ｔの処理時刻を含む収納開始時刻および収納終了時刻を検索すれば当該大帯Ｋが収納されている大帯カセットを特定できる。
【０１７６】
ステップ５にて、束Ｔの処理時刻に対応したカセット番号が磁気ディスク４１６に記録されていた場合（ステップ６；ＹＥＳ）、このカセット番号とともに対応する収納開始時刻および収納終了時刻がディスプレイ４１４を介して表示される（ステップ７）。
【０１７７】
以上のように、本発明によると、検索すべき大帯Ｋの大帯番号を入力するだけで、当該大帯Ｋが収納されている大帯カセット２５のカセット番号を瞬時に表示することができ、当該大帯Ｋが収納されている大帯カセット２５を容易に探し出すことができる。つまり、従来のように、複数の大帯カセットのうち当該大帯Ｋが収納されているであろうカセットに見当を付けて当該大帯Ｋを探す場合と比較して、当該大帯Ｋの検索にかかる作業負担を軽減できる。
【０１７８】
尚、この発明は、上述した実施の形態に限定されるものではなく、この発明の範囲内で種々変形可能である。例えば、上述した実施の形態では、大帯カセット２５に収納された大帯Ｋを探し出す場合について説明したが、本発明は、小帯カセット３３１から小帯ｋを探し出す場合にも適用できる。この場合、小帯カセット３３１のカセット番号は、ＣＣＤセンサ１４を介して取得される。
【０１７９】
【発明の効果】
以上説明したように、この発明の物品処理装置、および紙葉類処理装置は、上記のような構成および作用を有しているので、切除された帯が収納されている収納容器を容易に探し出すことができ、帯の抽出作業にかかる作業負担を軽減できる。
【図面の簡単な説明】
【図１】この発明の紙葉類処理装置を示す斜視図。
【図２】図１の紙葉類処理装置に組込まれた前処理機を示す概略図。
【図３】図２の前処理機に組込まれた大帯処理装置を示す概略図。
【図４】図３の大帯処理装置に組込まれた大帯切断機構、大帯キャッチ、大帯カセット、およびその周辺機器を示す概略図。
【図５】図３の大帯処理装置に組込まれた押込機構を示す斜視図。
【図６】図５の押込機構を示す側面図。
【図７】図６のＡ−Ａに沿って押込板およびクランプアームを切断した断面図。
【図８】図５の押込機構を示す平面図。
【図９】図５の押込機構を示す正面図。
【図１０】図３の大帯処理装置に組込まれた整位機構を示す斜視図。
【図１１】図３の大帯処理装置の動作を制御する制御系を示すブロック図。
【図１２】図３の大帯処理装置の動作を説明するためのフローチャート。
【図１３】図５の押込機構の押込板およびクランプアームにより大帯を狭持した状態を示す図。
【図１４】狭持した大帯をスリット内に収納した状態を示す図。
【図１５】大帯を収納した後、押込板およびクランプアームをスリットから引き抜いた状態を示す図。
【図１６】スリットから引き抜いた押込板およびクランプアームを上昇している状態を示す図。
【図１７】押込板およびクランプアームを初期位置へ戻す動作を説明するための図。
【図１８】図２の前処理機に組込まれた小帯印字装置による印字動作を説明するための動作説明図。
【図１９】図１８の小帯印字装置に組込まれた供給装置を示す斜視図。
【図２０】図１９の供給装置を示す正面図。
【図２１】図１８の小帯印字装置に組込まれた搬送装置の第１搬送機構を示す斜視図。
【図２２】図２１の第１搬送機構を示す正面図。
【図２３】図２１の第１搬送機構と連動される第２搬送機構を示す斜視図。
【図２４】図１８の小帯印字装置に組込まれた小帯検知装置を示す斜視図。
【図２５】図１８の小帯印字装置に組込まれた印字装置を示す斜視図。
【図２６】図２５の印字装置を示す平面図。
【図２７】図１８の小帯印字装置の動作を制御する制御系を示すブロック図。
【図２８】図１８の小帯印字装置による印字動作を説明するためのフローチャート。
【図２９】図２の前処理機に組込まれた切出し部、搬送部、およびその周辺機器を示す概略図。
【図３０】図２９に示した小帯キャッチ、およびその周辺機器を示す概略図。
【図３１】図３０の小帯キャッチを駆動させる駆動機構を示す断面図。
【図３２】図３０の小帯キャッチが把と小帯との間に挿入された状態を示す図。
【図３３】図３０の小帯キャッチにより小帯を掴んだ状態を示す図。
【図３４】掴んだ小帯を切断する状態を示す図。
【図３５】切断された小帯の拘束を解除した状態を示す図。
【図３６】把の湾曲状態を解除した状態を示す図。
【図３７】把から小帯を抜き取った状態を示す図。
【図３８】図２の前処理機に組込まれた小帯処理部の小帯回収装置を示す斜視図。
【図３９】図２の前処理機に組込まれた小帯処理部の小帯回収装置を示す斜視図。
【図４０】図３８の小帯キャッチにより挟持された小帯を小帯クランパにより受取る状態を示す図。
【図４１】小帯クランパにより受取った小帯を小帯プレスによりプレスした状態を示す図。
【図４２】小帯プレスにより小帯搬送ガイド上で小帯を搬送した状態を示す図。
【図４３】搬送した小帯を小帯収納部へ押し込む状態を示す図。
【図４４】小帯収納部を示す断面図。
【図４５】図３８、図３９、および図４４に示す小帯回収装置の動作を制御する制御系を示すブロック図。
【図４６】この発明の帯検索システムを示すブロック図。
【図４７】図４６の磁気ディスクに記録されるデータテーブルを示す図。
【図４８】図４６のディスプレイを介して表示される情報を示す図。
【図４９】図４６の帯検索システムによる検索動作を説明するためのフローチャート。
【符号の説明】
１…紙葉類処理装置、
６…検査機、
１０…前処理機、
１１、１２…印字ヘッド、
１３、１４…ＣＣＤセンサ、
２５…大帯カセット、
１６０…印字装置、
３３１…小帯カセット、
４００…帯検索システム、
４１０…集中制御卓、
４１２…タイマ、
４１４…キーボード、
４１６…磁気ディスク、
４１８…ディスプレイ、
ｋ…小帯、
Ｋ…大帯、
Ｔ…束、
Ｃ…バーコード。
【図１】
0004295842.tif 000002
【図２】
0004295842.tif 000003
【図３】
0004295842.tif 000004
【図４】
0004295842.tif 000005
【図５】
0004295842.tif 000006
【図６】
0004295842.tif 000007
【図７】
0004295842.tif 000008
【図８】
0004295842.tif 000009
【図９】
0004295842.tif 000010
【図１０】
0004295842.tif 000011
【図１１】
0004295842.tif 000012
【図１２】
0004295842.tif 000013
【図１３】
0004295842.tif 000014
【図１４】
0004295842.tif 000015
【図１５】
0004295842.tif 000016
【図１６】
0004295842.tif 000017
【図１７】
0004295842.tif 000018
【図１８】
0004295842.tif 000019
【図１９】
0004295842.tif 000020
【図２０】
0004295842.tif 000021
【図２１】
0004295842.tif 000022
【図２２】
0004295842.tif 000023
【図２３】
0004295842.tif 000024
【図２４】
0004295842.tif 000025
【図２５】
0004295842.tif 000026
【図２６】
0004295842.tif 000027
【図２７】
0004295842.tif 000028
【図２８】
0004295842.tif 000029
【図２９】
0004295842.tif 000030
【図３０】
0004295842.tif 000031
【図３１】
0004295842.tif 000032
【図３２】
0004295842.tif 000033
【図３３】
0004295842.tif 000034
【図３４】
0004295842.tif 000035
【図３５】
0004295842.tif 000036
【図３６】
0004295842.tif 000037
【図３７】
0004295842.tif 000038
【図３８】
0004295842.tif 000039
【図３９】
0004295842.tif 000040
【図４０】
0004295842.tif 000041
【図４１】
0004295842.tif 000042
【図４２】
0004295842.tif 000043
【図４３】
0004295842.tif 000044
【図４４】
0004295842.tif 000045
【図４５】
0004295842.tif 000046
【図４６】
0004295842.tif 000047
【図４７】
0004295842.tif 000048
【図４８】
0004295842.tif 000049
【図４９】
0004295842.tif 000050